(57)【要約】【課題】長尺状の取り付け片が風等で動かないように、簡易な構成でケースに直接取り付けることが可能となるガスメータを提供する。【解決手段】被計測流体の流入口と前記被計測流体の流出口が形成されたケースを備えたガスメータにおいて、前記ケースの前面部又は側縁部に互いに正面視左右方向に離間して配置されて、合成樹脂で形成された長尺状の取付片を正面視左右方向に挿通可能な複数の挿通部を備え、前記複数の挿通部は、挿通された前記取付片の基端部側を支持する第１挿通部と、前記第１挿通部に挿通された前記取付片の先端側が挿通されて前記先端側を支持すると共に、前記取付片の先端側に形成されたストッパ部と係合して係止可能に形成された第２挿通部と、を有するように構成する。【選択図】図１
2018162978.tif 000002
【特許請求の範囲】
【請求項１】
被計測流体の流入口と前記被計測流体の流出口が形成されたケースを備えたガスメータにおいて、
前記ケースの前面部又は側縁部に互いに正面視左右方向に離間して配置されて、合成樹脂で形成された長尺状の取付片を正面視左右方向に挿通可能な複数の挿通部を備え、
前記複数の挿通部は、
挿通された前記取付片の基端部側を支持する第１挿通部と、
前記第１挿通部に挿通された前記取付片の先端側が挿通されて前記先端側を支持すると共に、前記取付片の先端側に形成されたストッパ部と係合して係止可能に形成された第２挿通部と、
を有することを特徴とするガスメータ。
【請求項２】
前記第１挿通部は、
前記ケースの前面部の一方の側縁部において、前記取付片の基端部の幅とほぼ同じ上下方向の高さで背面側へ所定深さ窪むように形成されて前面側及び左右方向外側に開口する挿入側溝部と、
前記挿入側溝部の左右方向外側の端部に上下方向に沿って架け渡されて、前記挿入側溝部の正面視奥側の奥側壁面部との間に前記取付片を挿通可能な断面縦長スリット状の貫通孔を形成すると共に、前記ケースの前面部に前記貫通孔に挿入された前記取付片を引き出し可能な開口部を形成する梁部と、
を有することを特徴とする請求項１に記載のガスメータ。
【請求項３】
前記第１挿通部は、前記ケースの前面部から側面視略コの字状に突出して、前記前面部との間に前記取付片の基端部側の幅とほぼ同じ上下方向の高さで前記取付片を挿通可能な断面縦長スリット状の貫通孔を形成する突出リブ部を有することを特徴とする請求項１に記載のガスメータ。
【請求項４】
前記突出リブ部は、前記ケースの前面部から突出する両方の脚部が突出側端部から左右方向略直角に所定長さ延出されると共に、下側の前記脚部から前記ケースの前面部側へ略直角に延出されて、前記取付片の下端縁部を支持する支持部が形成されることを特徴とする請求項３に記載のガスメータ。
【請求項５】
前記第１挿通部は、
前記ケースの前面部から左右方向所定幅で側面視略Ｌ字状に突出して、前記前面部との間に上方及び左右両端部が開放された断面縦長スリット状の挿通溝を形成する突出板部と、
前記突出板部の上端縁部の左右両端の近傍位置にそれぞれ位置するように前記ケースの前面部から所定高さ突出する一対の押さえ用突出部と、
を有し、
前記挿通溝の底面から前記押さえ用突出部の下端面までの高さは、前記取付片の基端部側の幅とほぼ同じ上下方向の高さに形成されていることを特徴とする請求項１に記載のガスメータ。
【請求項６】
前記第２挿通部は、
前記ケースの前面部において、前記取付片の挿通方向側の側縁部に、前記取付片のストッパ部の幅とほぼ同じ上下方向の高さで背面側へ所定深さ窪むように形成されて前面側及び左右方向外側に開口する引出側溝部と、
前記引出側溝部の左右方向内側の端縁部から所定距離左右方向外側の位置の上下端部に架け渡されて、前記引出側溝部の左右方向内側の端縁部との間に前記取付片のストッパ部を挿入可能な挿入口を形成すると共に、前記引出側溝部の正面視奥側の第２奥側壁面部との間に前記取付片のストッパ部を挿通可能な断面縦長のスリット状の第２貫通孔を形成する第２梁部と、
前記第２貫通孔の上下両端縁部のそれぞれから上下方向内側に前後方向全幅に渡って所定高さ突出された断面略四角形の一対の係止用突出部と、
を有し、
前記挿入口から前記第２貫通孔に挿入された前記取付片のストッパ部は、前記係止用突出部に係合して係止されることを特徴とする請求項１乃至請求項５のいずれかに記載のガスメータ。
【請求項７】
前記引出側溝部は、前記第２梁部よりも左右方向外側部分の前後方向の深さが、前記第２梁部から水平方向内側部分の前後方向の深さよりも所定深さ深くなるように形成され、
前記第２貫通孔に挿入された前記取付片の先端側と前記引出側溝部の前記第２奥側壁面部との間に所定隙間が形成されることを特徴とする請求項６に記載のガスメータ。
【請求項８】
前記第２挿通部は、前記ケースの前面部又は側縁部から側面視略コの字状に突出して、前記前面部又は前記側縁部との間に前記取付片のストッパ部を押し込み可能な高さで該取付片のストッパ部を挿通可能な縦長スリット状の第３貫通孔を形成する第２突出リブ部を有し、
前記第２突出リブ部の前記前面部又は前記側縁部から略垂直に突出する両脚部は、断面略四角形状に形成され、
前記第３貫通孔に挿入された前記取付片のストッパ部は、前記両脚部に係合して係止されることを特徴とする請求項１乃至請求項５のいずれかに記載のガスメータ。
【請求項９】
前記第２挿通部は、
前記ケースの前面部において、前記取付片の挿通方向側の端縁部から左右方向外側へ平板状に延出された張出リブ部と、
前記張出リブ部に上下方向に沿って形成されて、前記取付片のストッパ部を押し込み可能な高さで該取付片のストッパ部を挿通可能な縦長スリット状に形成された第４貫通孔と、
を有し、
前記第４貫通孔に挿入された前記取付片のストッパ部は、前記第４貫通孔の裏側周縁部に係合して係止されることを特徴とする請求項１乃至請求項５のいずれかに記載のガスメータ。
【請求項１０】
前記第２挿通部は、前記第１挿通部を挟んで左右両側に配置されることを特徴とする請求項１乃至請求項９のいずれかに記載のガスメータ。
【請求項１１】
前記ケース内に設けられてガスの供給を遮断する遮断弁と、
前記遮断弁を外部から開く復帰ボタンと、
前記ケースの前面側に配置されて積算流量を表示する表示手段と、
前記取付片の基端部側の端部に一体的に形成されて、前記復帰ボタンの操作手順を含む操作情報を絵と文字で表示した操作絵札と、
を備え、
前記第１挿通部及び前記第２挿通部は、前記表示手段よりも下側の前記ケースの前面部又は側縁部に互いに正面視左右方向に離間して配置されることを特徴とする請求項１乃至請求項１０のいずれかに記載のガスメータ。
【請求項１２】
前記ケースの前記表示手段よりも下方の前面側に設けられて製品を識別する識別情報が表示される情報表示部を備え、
前記第１挿通部は、前記取付片の基端部側の端部が該第１挿通部に当接された状態において、前記操作絵札が前記情報表示部よりも外側に位置するように設けられていることを特徴とする請求項１１に記載のガスメータ。
【請求項１３】
前記取付片のストッパ部は、該取付片の先端側の両側縁部に、該取付片の基端部側の幅が前記第２貫通孔又は前記第３貫通孔又は前記第４貫通孔の上下方向の高さより大きい幅を有し、その両側部が先端に向かって徐々に先細りに傾斜する適宜数の鋸歯状に突出形成されていることを特徴とする請求項６乃至請求項１２のいずれかに記載のガスメータ。
【発明の詳細な説明】
【技術分野】
【０００１】
本発明は、都市ガス等の被計測流体の流量を計測するガスメータに関するものである。
【背景技術】
【０００２】
従来より、都市ガス等の被計測流体の流量を計測する膜式ガスメータに関する技術が種々提案されている。
例えば、下記特許文献１に記載されたガスメータ取り付け用表示札は、合成樹脂にて作成され、安全装置の復帰方法等を表示した表示片と、この表示片の一端部に一体に延出形成されたガスメータの配管等に対する取り付けベルトと、表示片の取り付けベルト根本側部分に形成された取り付けベルト自由端部係合用切り込み孔とから構成されている。
【先行技術文献】
【特許文献】
【０００３】
【特許文献１】実開平６−５００７５号公報
【発明の概要】
【発明が解決しようとする課題】
【０００４】
前記した特許文献１に記載されたガスメータ取り付け用表示札では、ガスメータの配管や復帰ボタンキャップの脱落防止片等に取り付けベルトを巻き付けて、この取り付けベルトをベルト自由端部係合用切り込み孔に差し込み係合させることによって、容易に取り付けることが可能となる。
【０００５】
しかしながら、ガスメータ取り付け用表示札の取り付けベルトが風等で動き、ガスメータの積算流量を示す機械式カウンタや液晶表示装置、ガスメータの前面部に表示された当該ガスメータを識別する識別番号等を表示片が覆って隠す可能性がある。この場合には、検針時にガスメータ取り付け用表示札を動かす必要があり、検針作業が煩雑になる。また、ガスメータが高所や敷地内の奥に設置されている場合には、ガスメータ取り付け用表示札を動かすことが困難になるという問題がある。また、取り付けベルトが配管に巻き付けられている場合には、ガスメータ交換時等の配管作業の邪魔になるという問題がある。
【０００６】
そこで、本発明は、上述した問題点を解決するためになされたものであり、長尺状の取り付け片が風等で動かないように、簡易な構成でケースに直接取り付けることが可能となるガスメータを提供することを目的とする。
【課題を解決するための手段】
【０００７】
前記目的を達成するため請求項１に係るガスメータは、被計測流体の流入口と前記被計測流体の流出口が形成されたケースを備えたガスメータにおいて、前記ケースの前面部又は側縁部に互いに正面視左右方向に離間して配置されて、合成樹脂で形成された長尺状の取付片を正面視左右方向に挿通可能な複数の挿通部を備え、前記複数の挿通部は、挿通された前記取付片の基端部側を支持する第１挿通部と、前記第１挿通部に挿通された前記取付片の先端側が挿通されて前記先端側を支持すると共に、前記取付片の先端側に形成されたストッパ部と係合して係止可能に形成された第２挿通部と、を有することを特徴とする。
【０００８】
また、請求項２に係るガスメータは、請求項１に記載のガスメータにおいて、前記第１挿通部は、前記ケースの前面部の一方の側縁部において、前記取付片の基端部の幅とほぼ同じ上下方向の高さで背面側へ所定深さ窪むように形成されて前面側及び左右方向外側に開口する挿入側溝部と、前記挿入側溝部の左右方向外側の端部に上下方向に沿って架け渡されて、前記挿入側溝部の正面視奥側の奥側壁面部との間に前記取付片を挿通可能な断面縦長スリット状の貫通孔を形成すると共に、前記ケースの前面部に前記貫通孔に挿入された前記取付片を引き出し可能な開口部を形成する梁部と、を有することを特徴とする。
【０００９】
また、請求項３に係るガスメータは、請求項１に記載のガスメータにおいて、前記第１挿通部は、前記ケースの前面部から側面視略コの字状に突出して、前記前面部との間に前記取付片の基端部側の幅とほぼ同じ上下方向の高さで前記取付片を挿通可能な断面縦長スリット状の貫通孔を形成する突出リブ部を有することを特徴とする。
【００１０】
また、請求項４に係るガスメータは、請求項３に記載のガスメータにおいて、前記突出リブ部は、前記ケースの前面部から突出する両方の脚部が突出側端部から左右方向略直角に所定長さ延出されると共に、下側の前記脚部から前記ケースの前面部側へ略直角に延出されて、前記取付片の下端縁部を支持する支持部が形成されることを特徴とする。
【００１１】
また、請求項５に係るガスメータは、請求項１に記載のガスメータにおいて、前記第１挿通部は、前記ケースの前面部から左右方向所定幅で側面視略Ｌ字状に突出して、前記前面部との間に上方及び左右両端部が開放された断面縦長スリット状の挿通溝を形成する突出板部と、前記突出板部の上端縁部の左右両端の近傍位置にそれぞれ位置するように前記ケースの前面部から所定高さ突出する一対の押さえ用突出部と、を有し、前記挿通溝の底面から前記押さえ用突出部の下端面までの高さは、前記取付片の基端部側の幅とほぼ同じ上下方向の高さに形成されていることを特徴とする。
【００１２】
また、請求項６に係るガスメータは、請求項１乃至請求項５のいずれかに記載のガスメータにおいて、前記第２挿通部は、前記ケースの前面部において、前記取付片の挿通方向側の側縁部に、前記取付片のストッパ部の幅とほぼ同じ上下方向の高さで背面側へ所定深さ窪むように形成されて前面側及び左右方向外側に開口する引出側溝部と、前記引出側溝部の左右方向内側の端縁部から所定距離左右方向外側の位置の上下端部に架け渡されて、前記引出側溝部の左右方向内側の端縁部との間に前記取付片のストッパ部を挿入可能な挿入口を形成すると共に、前記引出側溝部の正面視奥側の第２奥側壁面部との間に前記取付片のストッパ部を挿通可能な断面縦長のスリット状の第２貫通孔を形成する第２梁部と、前記第２貫通孔の上下両端縁部のそれぞれから上下方向内側に前後方向全幅に渡って所定高さ突出された断面略四角形の一対の係止用突出部と、を有し、前記挿入口から前記第２貫通孔に挿入された前記取付片のストッパ部は、前記係止用突出部に係合して係止されることを特徴とする。
【００１３】
また、請求項７に係るガスメータは、請求項６に記載のガスメータにおいて、前記引出側溝部は、前記第２梁部よりも左右方向外側部分の前後方向の深さが、前記第２梁部から水平方向内側部分の前後方向の深さよりも所定深さ深くなるように形成され、前記第２貫通孔に挿入された前記取付片の先端側と前記引出側溝部の前記第２奥側壁面部との間に所定隙間が形成されることを特徴とする。
【００１４】
また、請求項８に係るガスメータは、請求項１乃至請求項５のいずれかに記載のガスメータにおいて、前記第２挿通部は、前記ケースの前面部又は側縁部から側面視略コの字状に突出して、前記前面部又は前記側縁部との間に前記取付片のストッパ部を押し込み可能な高さで該取付片のストッパ部を挿通可能な縦長スリット状の第３貫通孔を形成する第２突出リブ部を有し、前記第２突出リブ部の前記前面部又は前記側縁部から略垂直に突出する両脚部は、断面略四角形状に形成され、前記第３貫通孔に挿入された前記取付片のストッパ部は、前記両脚部に係合して係止されることを特徴とする。
【００１５】
また、請求項９に係るガスメータは、請求項１乃至請求項５のいずれかに記載のガスメータにおいて、前記第２挿通部は、前記ケースの前面部において、前記取付片の挿通方向側の端縁部から左右方向外側へ平板状に延出された張出リブ部と、前記張出リブ部に上下方向に沿って形成されて、前記取付片のストッパ部を押し込み可能な高さで該取付片のストッパ部を挿通可能な縦長スリット状に形成された第４貫通孔と、を有し、前記第４貫通孔に挿入された前記取付片のストッパ部は、前記第４貫通孔の裏側周縁部に係合して係止されることを特徴とする。
【００１６】
また、請求項１０に係るガスメータは、請求項１乃至請求項９のいずれかに記載のガスメータにおいて、前記第２挿通部は、前記第１挿通部を挟んで左右両側に配置されることを特徴とする。
【００１７】
また、請求項１１に係るガスメータは、請求項１乃至請求項１０のいずれかに記載のガスメータにおいて、前記ケース内に設けられてガスの供給を遮断する遮断弁と、前記遮断弁を外部から開く復帰ボタンと、前記ケースの前面側に配置されて積算流量を表示する表示手段と、前記取付片の基端部側の端部に一体的に形成されて、前記復帰ボタンの操作手順を含む操作情報を絵と文字で表示した操作絵札と、を備え、前記第１挿通部及び前記第２挿通部は、前記表示手段よりも下側の前記ケースの前面部又は側縁部に互いに正面視左右方向に離間して配置されることを特徴とする。
【００１８】
また、請求項１２に係るガスメータは、請求項１１に記載のガスメータにおいて、前記ケースの前記表示手段よりも下方の前面側に設けられて製品を識別する識別情報が表示される情報表示部を備え、前記第１挿通部は、前記取付片の基端部側の端部が該第１挿通部に当接された状態において、前記操作絵札が前記情報表示部よりも外側に位置するように設けられていることを特徴とする。
【００１９】
更に、請求項１３に係るガスメータは、請求項６乃至請求項１２のいずれかに記載のガスメータにおいて、前記取付片のストッパ部は、該取付片の先端側の両側縁部に、該取付片の基端部側の幅が前記第２貫通孔又は前記第３貫通孔又は前記第４貫通孔の上下方向の高さより大きい幅を有し、その両側部が先端に向かって徐々に先細りに傾斜する適宜数の鋸歯状に突出形成されていることを特徴とする。
【発明の効果】
【００２０】
請求項１に係るガスメータでは、合成樹脂で形成された長尺状の取付片を第１挿通部に挿通した後、取付片の先端側を第２挿通部に挿通して、取付片の先端側に形成されたストッパ部を第２挿通部に係止することによって、当該取付片は、基端部側が第１挿通部によって支持され、先端側が第２挿通部によって支持されると共に係止される。
【００２１】
これにより、第１挿通部と第２挿通部は、互いに正面視左右方向に離間して配置されるため、ケースの前面部又は側縁部において、長尺状の取付片を安定して保持することが可能となる。また、当該取付片が風等で動いても、第２挿通部及び第１挿通部から左右方向基端部側へ抜けるのを確実に抑止することが可能となる。従って、第１挿通部及び第２挿通部をケースの前面部又は側縁部に設けることによって、長尺状の取り付け片が風等で動かないように、簡易な構成でケースの前面部又は側縁部に直接取り付けることが可能となる。
【００２２】
また、請求項２に係るガスメータでは、第１挿通部を構成する挿入側溝部の左右方向外側の端部に上下方向に沿って架け渡され梁部によって形成される断面縦長スリット状の貫通孔に、取付片を左右方向外側から挿入した後、ケースの前面部に形成された開口部から取付片を引き出すことができる。これにより、挿入側溝部の左右方向外側の端部に上下方向に沿って梁部を架け渡すことによって、第１挿通部を簡易な構成で形成することが可能となる。また、第１挿通部に長尺状の取付片を迅速に挿通することが可能となり、取付片をケースの前面部又は側縁部に取り付ける作業性の向上を図ることが可能となる。
【００２３】
また、請求項３に係るガスメータでは、ケースの前面部から側面視略コの字状に突出する突出リブ部によって形成される断面縦長スリット状の貫通孔に、取付片を左右方向外側から挿入した後、引き出すことができる。これにより、第１挿通部を側面視略コの字状に突出する突出リブ部によって簡易な構成で形成することが可能となる。また、第１挿通部に長尺状の取付片を迅速に挿通することが可能となり、取付片をケースの前面部又は側縁部に取り付ける作業性の向上を図ることが可能となる。
【００２４】
また、請求項４に係るガスメータでは、突出リブ部は、ケースの前面部から突出する両方の脚部が突出側端部から左右方向略直角に所定長さ延出されると共に、下側の脚部からケースの前面部側へ略直角に延出されて、取付片の下端縁部を支持する支持部が形成される。これにより、突出リブ部の両方の脚部が突出側端部から左右方向略直角に所定長さ延出されて、先端側が正面視コの字状に接続されるため、第１挿通部に挿通された取付片が風等で前後方向に動くのを効果的に押さえることが可能となる。また。下側の脚部からケースの前面部側へ略直角に延出された支持部によって、取付片の下端縁部が支持されるため、取付片が風等によって斜めに傾くのを効果的に抑止して、保持することが可能となる。
【００２５】
また、請求項５に係るガスメータでは、ケースの前面部から側面視略Ｌ字状に突出する突出板部によって形成される断面縦長スリット状の挿通溝に取付片を挿入することによって、取付片の基端部側を支持することができる。また、ケースの前面部から所定高さ突出する一対の押さえ用突出部によって、挿通溝に差し込まれた取付片の上側の側縁部が押さえられるため、取付片が挿通溝から上方向へ抜けるのを防止することができる。
【００２６】
これにより、側面視略Ｌ字状に突出する突出板部と一対の押さえ用突出部によって、第１挿通部を簡易な構成で形成することが可能となる。また、挿通溝に長尺状の取付片を迅速に挿通することが可能となり、取付片をケースの前面部又は側縁部に取り付ける作業性の向上を図ることが可能となる。また、突出板部と一対の押さえ用突出部によって、取付片の基端部側を左右方向所定幅に渡って支持することができるため、長尺状の取付片が風等で動かないように効果的に支持することが可能となる。
【００２７】
また、請求項６に係るガスメータでは、第２挿通部を構成する引出側溝部の上下端部に架け渡された第２梁部によって形成される挿入口と断面縦長のスリット状の第２貫通孔に、取付片の先端側を挿入して引き出すことによって、取付片のストッパ部を第２貫通孔の上下端縁部に設けられた一対の係止用突出部に係合させて係止することができる。
【００２８】
これにより、引出側溝部の上下端部に第２梁部を架け渡すと共に、第２貫通孔の上下両端縁部に一対の係止用突出部を形成することによって、第２挿通部を簡易な構成で形成することが可能となる。また、第２挿通部に取付片の先端側を迅速に挿通することが可能となり、取付片をケースの前面部又は側縁部に取り付ける作業性の向上を図ることが可能となる。また、取付片のストッパ部を第２挿通部に係合させて係止することができ、取付片の先端側が、第２挿通部から風等で抜けるのを防止することができる。また、引出側溝部は、ケースの前面部において、取付片の挿通方向側の側縁部に設けられるため、第２貫通孔に挿通された取付片の先端部を容易に持って引き出すことが可能となり、取付片を取り付ける作業性の向上を図ることができる。
【００２９】
また、請求項７に係るガスメータでは、第２貫通孔に挿入された取付片の先端側と引出側溝部の第２梁部よりも左右方向外側部分の第２奥側壁面部との間に所定隙間が形成される。これにより、作業者が手袋をはめていても、第２貫通孔から出てきた取付片の先端部を容易に持って引き出すことが可能となり、取付片を取り付ける作業性の更なる向上を図ることができる。
【００３０】
また、請求項８に係るガスメータでは、ケースの前面部又は側縁部から側面視コの字状に突出する第２突出リブ部によって形成された縦長スリット状の第３貫通孔に、取付片の先端側を挿入して引き出すことによって、取付片のストッパ部を第２突出リブ部の両脚部に係合させて係止することができる。
【００３１】
これにより、第２突出リブ部をケースの前面部又は側縁部から側面視コの字状に突出させると共に、第２突出部の両脚部を断面略四角形状に形成することによって、第２挿通部を簡易な構成で形成することが可能となる。また、第２挿通部に取付片の先端側を迅速に挿通することが可能となり、取付片をケースの前面部又は側縁部に取り付ける作業性の向上を図ることが可能となる。また、取付片のストッパ部を第２挿通部に係止することができ、取付片の先端側が、第２挿通部から風等で抜けるのを防止することができる。
【００３２】
また、請求項９に係るガスメータでは、ケースの前面部において、取付片の挿通方向側の端縁部から左右方向外側へ平板状に延出された張出リブ部に形成された縦長スリット状の第４貫通孔に、取付片の先端側を挿入して引き出すことによって、取付片のストッパ部を第４貫通孔の裏側周縁部に係合させて係止することができる。
【００３３】
これにより、ケースの前面部において、平板状の張出リブ部を取付片の挿通方向側の端縁部から左右方向外側へ延出して形成し、この張出リブ部に縦長スリット状の第４貫通孔を形成することによって、第２挿通部を簡易な構成で形成することが可能となる。また、取付片の先端側をケースの前面部側から第４貫通孔に迅速に挿通することが可能となり、取付片をケースの前面部に取り付ける作業性の向上を図ることが可能となる。
【００３４】
また、取付片のストッパ部を第４貫通孔の裏側周縁部に係止することができ、取付片の先端側が、第４貫通孔から風等で抜けるのを簡易な構成で防止することができる。また、第４貫通孔は平板状に延出された張出リブ部に形成されるため、第４貫通孔に挿通された取付片の先端部を容易に持って引き出すことが可能となり、取付片を取り付ける作業性の向上を図ることができる。
【００３５】
また、請求項１０に係るガスメータでは、第２挿通部は、第１挿通部を挟んで左右両側に配置される。これにより、取付片を左側から第１挿通部に挿通した場合には、取付片の先端側を第１挿通部に対して右側に配置された第２挿通部に挿入して係止することが可能となる。一方、取付片を右側から第１挿通部に挿通した場合には、取付片の先端側を第１挿通部に対して左側に配置された第２挿通部に挿入して係止することが可能となる。従って、作業者は、ガスメータが設置された周囲の状況に合わせて、取付片を第１挿通部の左側又は右側のうち、任意の方向から挿入して、ケースの前面部又は側縁部に直接取り付けることが可能となる。
【００３６】
また、請求項１１に係るガスメータでは、第１挿通部及び第２挿通部は、積算流量を表示する表示手段よりも下側のケースの前面部又は側縁部に互いに正面視左右方向に離間して配置されるため、第１挿通部及び第２挿通部に挿通される長尺状の取付片は、表示手段よりも下側のケースの前面部又は側縁部に取り付けられる。
【００３７】
これにより、復帰ボタンの操作手順を含む操作情報を絵と文字で表示した操作絵札を、一体的に形成された取付片によってケースの前面部又は側縁部に取り付けることが可能となり、ガスメータ交換時等の配管作業をスムーズに行うことが可能となる。また、操作絵札を、一体的に形成された取付片によって積算流量を表示する表示手段よりも下方に取り付けることが可能となると共に、当該操作絵札を風等で上下方向に動かないように取り付けることが可能となる。この結果、当該操作絵札を積算流量を表示する表示手段の前面部を覆わないようにケース前面部に取り付けることが可能となる。
【００３８】
また、請求項１２に係るガスメータでは、第１挿通部は、取付片の基端部側の端部が該第１挿通部に当接された状態において、操作絵札が情報表示部よりも外側に位置するように設けられている。これにより、検針時等において、操作絵札が風等で動いて情報表示部を覆わないようにすることが可能となり、情報表示部に表示された製品を識別する識別情報を容易に確認することが可能となる。
【００３９】
また、請求項１３に係るガスメータでは、取付片のストッパ部を第２挿通部に形成された第２貫通孔又は第３貫通孔又は第４貫通孔に迅速に押し込んで係合させ、取付片を係止することができると共に、一度係合すると、取付片を逆方向に引っ張っても容易に抜けないように取り付けることができる。
【図面の簡単な説明】
【００４０】
【図１】第１実施形態に係るガスメータ及び操作絵札を示す正面側斜視図である。
【図２】第１実施形態に係るガスメータの正面図である。
【図３】図２のＸ１−Ｘ１矢視断面図である。
【図４】第１実施形態に係る第１挿通部と第２挿通部を示す要部拡大斜視図である。
【図５】図２のＸ２−Ｘ２矢視断面図である。
【図６】図２のＸ３−Ｘ３矢視断面図である。
【図７】図６のＸ４−Ｘ４矢視断面図である。
【図８】第１実施形態に係るガスメータに操作絵札を取り付けた状態示す正面側斜視図である。
【図９】第２実施形態に係るガスメータの正面図である。
【図１０】第２実施形態に係る第１挿通部と第２挿通部を示す要部拡大斜視図である。
【図１１】図９のＸ１１−Ｘ１１矢視断面図である。
【図１２】図１０のＸ１２−Ｘ１２矢視断面図である。
【図１３】第２実施形態に係るガスメータに操作絵札を取り付けた状態示す正面側斜視図である。
【図１４】第３実施形態に係るガスメータの正面図である。
【図１５】第３実施形態に係る第１挿通部と第２挿通部を示す要部拡大斜視図である。
【図１６】図１４のＸ２１−Ｘ２１矢視断面図である。
【図１７】図１４のＸ２２−Ｘ２２矢視断面図である。
【図１８】第３実施形態に係るガスメータに操作絵札を取り付けた状態示す正面側斜視図である。
【図１９】第４実施形態に係るガスメータの正面図である。
【図２０】図１９のＸ３１−Ｘ３１矢視断面図である。
【図２１】第４実施形態に係る第１挿通部と第２挿通部を示す要部拡大斜視図である。
【図２２】第４実施形態に係るガスメータに操作絵札を取り付けた状態示す正面側斜視図である。
【図２３】第５実施形態に係るガスメータの正面図である。
【図２４】第５実施形態に係る第１挿通部と右側第２挿通部を示す要部拡大斜視図である。
【図２５】図２３のＸ４１−Ｘ４１矢視断面図である。
【図２６】図２４のＸ４２−Ｘ４２矢視断面図である。
【図２７】第５実施形態に係るガスメータの第１挿通部と右側第２挿通部に操作絵札を取り付けた状態示す正面側斜視図である。
【図２８】第６実施形態に係るガスメータの正面図である。
【図２９】第６実施形態に係る第１挿通部と右側第２挿通部を示す要部拡大斜視図である。
【図３０】第６実施形態に係るガスメータの第１挿通部と右側第２挿通部に操作絵札を取り付けた状態示す正面側斜視図である。
【発明を実施するための形態】
【００４１】
以下、本発明に係るガスメータについて具体化した第１実施形態乃至第６実施形態に基づき図面を参照しつつ詳細に説明する。
【００４２】
［第１実施形態］
第１実施形態に係るガスメータ１について図１乃至図８に基づき説明する。先ず、第１実施形態に係るガスメータ１の概略構成について図１乃至図３に基づき説明する。尚、以下のガスメータ１の説明において、液晶表示装置２１の表示画面に対して垂直な外側方向が前方向である。また、配流入口８、流出口９が設けられた面に対して垂直方向が、ガスメータ１の上下方向である。そして、ガスメータ１の上下方向及び前後方向に直交する方向が、左右方向である。
【００４３】
図１及び図２に示すように、第１実施形態に係るガスメータ１は、所謂膜式ガスメータであり、例えば、被計測流体の一例である都市ガスの流量を計測する都市ガスメータであって、都市ガスの配管２の途中に接続された縦長略直方体形状のケース３を備えている。ケース３は、アルミダイカストで形成された上部ケース５と、下部ケース６と、上部ケース５の前面側を覆う合成樹脂製の前カバー７等から構成されている。上部ケース５の上面からは、配管２に気密に接続される流入口８と流出口９が平面視長手方向の両端部に突出して設けられており、ケース３内に連通している。
【００４４】
下部ケース６は、前後方向に仕切壁（不図示）によって一対の計量室に仕切られ、更に、両計量室内が、一対の計量膜（不図示）によりそれぞれ二分されて、計４つの給排室に分けられている。また、下部ケース６の上面部には、一対の計量膜の前後方向の動きに応じて、各給排室に連通する給排口を開閉するリンク機構部（不図示）が設けられている。
【００４５】
図３に示すように、上部ケース５は、中間仕切壁１１によって内部が上下に仕切られており、中間仕切壁１１の下側部分には、下部ケース６の上面部に配置されたリンク機構部等を覆う中間室１２が形成されている。この中間仕切壁１１の上側部分には、上部ケース５の前面部分が開放されるように形成され、ネジ止め等で取り付けられた前カバー７で覆われる制御室１３が形成されている。
【００４６】
また、上部ケース５には、流入口８から中間室１２に連通して、流入口８から供給された都市ガスを中間室１２に案内する流入側流路１５と、上部ケース５の下端部から流出口９に連通して、下部ケース６から排出されるガスを案内する排出側流路１６とが形成されている。流入側流路１５には、圧力異常や地震を検出した場合に、流入側流路１５を閉鎖して中間室１２へのガスの供給を遮断する遮断弁１７が配設されている。遮断弁１７は、所謂「双方向弁」であって、ガスの供給を遮断する閉弁動作と、ガスの供給を再開する開弁動作の両方を行うように制御可能に構成されている。遮断弁１７は、通常時は開弁状態に設定されている。
【００４７】
また、制御室１３には、ガスメータ１に供給されるガス圧力を検出する不図示の圧力センサ、地震の震動を検出する不図示の感震器、リンク機構部の動きに応じて消費したガスの流量を計測する不図示の流量計測センサ、制御基板１８等が配設されている。制御基板１８には、遮断弁１７を駆動する遮断弁駆動回路、ＣＰＵ、ＲＡＭ、ＲＯＭ等を有する制御回路等が配設されている。また、制御基板１８には、圧力センサ、感震器、流量計測センサ、遮断弁１７等が電気的に接続されると共に、前カバー７の前面部に設けられた液晶表示装置（表示手段）２１、復帰ボタン２２等が電気的に接続されている。
【００４８】
液晶表示装置２１には、制御基板１８の制御回路を介して流量計測センサによって計測されるガスの積算流量等が演算されて表示される。また、復帰ボタン２２は、押圧されることによって、閉弁動作をした遮断弁１７を開放する（リセットする）ように指示する開放指示信号を制御基板１８に出力する。制御基板１８に設けられた制御回路は、遮断弁１７を開放するように指示する開放指示信号が入力された場合には、遮断弁駆動回路を介して遮断弁１７に開弁動作をさせる。従って、ユーザは、復帰ボタン２２を押圧することによって、閉弁状態の遮断弁１７に開弁動作をさせて（遮断弁１７をリセットして）、ガスの供給を再開させることができる。
【００４９】
図１及び図２に示すように、前カバー７の液晶表示装置２１よりも下側の部分には、右側縁部から少し内側の部分（約２ｃｍ程度内側である。）から左端縁部まで、左右方向に長い正面視略矩形状の合成樹脂製の端子台蓋２５が、前カバー７の前面部と面一になるようにネジ止め等によって着脱可能に取り付けられている。前カバー７の端子台蓋２５で覆われる部分は、左右方向略全幅に渡って所定深さ後側に窪むように形成されて、制御基板１８に電気的に接続された不図示のコネクタ端子が配設され、この端子台蓋２５で覆われている。
【００５０】
端子台蓋２５の前面部の右側縁部には、後述のように、ポリエチレン等の合成樹脂製の操作絵札２６の上端角部から上端縁に沿って所定長さ延出された長尺状の取付片２７が挿通される第１挿通部３１が形成されている（図８参照）。また、端子台蓋２５の前面部の左側縁部には、後述のように、第１挿通部３１に挿通された取付片２７の先端側が挿通されて係止される第２挿通部３２が形成されている（図８参照）。尚、第１挿通部３１を端子台蓋２５の右側縁部に形成すると共に、第２挿通部３２を端子台蓋２５の左側縁部に形成するようにしてもよい。
【００５１】
また、下部ケース６の前面側の略中央部には、ガスメータ１を識別する製造番号（識別情報）等が表示される左右方向に長い正面視長方形状の情報表示部３３が設けられている。正面視長方形状の情報表示部３３は、端子台蓋２５の第１挿通部３１から少し左側（例えば、約１ｃｍ左側である。）の位置から、第２挿通部３２から少し右側（例えば、約１ｃｍ右側である。）の位置までの部分に、上辺部が対向するように形成されている。
【００５２】
これにより、後述のように、取付片２７の基端部、つまり、操作絵札２６の上端角部が第１挿通部３１に当接された状態において、操作絵札２６が情報表示部３３を覆うのを確実に防止できる。尚、情報表示部３３には、ガスメータ１を識別する製造番号等を印刷や刻印等によって表面に直接表示してもよいし、製造番号等を印刷したシールを貼付するようにしてもよい。
【００５３】
ここで、ポリエチレン等の合成樹脂製の操作絵札２６及び取付片２７について図１及び図７に基づいて説明する。図１に示すように、操作絵札２６は、略矩形状の表示片であって、一方の面に、緊急時の連絡先情報等が絵と文字で表示され、他方の面に、復帰ボタン２２の操作手順を含む操作情報等が絵と文字で表示されている。また、取付片２７は、操作絵札２６の上端角部から上端縁に沿って、第１挿通部３１から端子台蓋２５の左側縁部に達する所定長さ延出され、操作絵札２６側に位置する太幅部分２７Ａと、この先端部分に続いて延びる細幅部分２７Ｂとから形成されている。また、細幅部分２７Ｂの先端は、両角部が面取りされて滑らかな流線型となっている。
【００５４】
太幅部分２７Ａの基端部側は、下端縁が操作絵札２６側へ徐々に幅広になるように、斜め下方向に広がって、第１挿通部３１を構成する挿入側溝部３１Ａ（図２参照）の下側壁面に当接する斜め当接部２７Ｃが形成されている。太幅部分２７Ａの細幅部分２７Ｂへと続く先端側には、細幅部分２７Ｂ側へ徐々に細くなるテーパー部２７Ｄが形成されている。そして、細幅部分２７Ｂの両側縁部には、取付片２７の基端部側の幅が、太幅部分２７Ａの幅とほぼ同じ幅を有し、その両側部が先端に向かって徐々に先細りに傾斜する適宜数の鋸歯状に突出形成されたストッパ部２８が設けられている（図７参照）。
【００５５】
次に、第１挿通部３１の構成について図２、図４及び図５基づいて説明する。図２、図４及び図５に示すように、第１挿通部３１は、端子台蓋２５の右側縁部において、背面側へ所定深さ窪むように形成されて、前面側及び右方向外側に開口する挿入側溝部３１Ａが形成されている。挿入側溝部３１Ａは、右端側の上下方向の高さが、端子台蓋２５の上端部から上下方向略中央までの高さで、下側壁面３５が徐々に右斜め下方向に傾斜して上下幅が左方向に向かって徐々に狭くなるように形成されると共に、前後方向奥側の奥側壁面部３６が、左端側に近づくに従って徐々に端子台蓋２５の前面へ近づくように形成されている。
【００５６】
また、挿入側溝部３１Ａの右端部から少し左側（例えば、約３ｍｍ程度左側）の位置には、断面略四角形の梁部３７が、上下方向に沿って、端子台蓋２５の前面部と面一になるように架け渡されている。そして、この梁部３７と奥側壁面部３６との間に取付片２７を挿通可能な断面縦長スリット状の貫通孔３８が形成されている。また、この梁部３７の左側には、貫通孔３８に挿入された取付片２７を引き出し可能な正面視略縦長四角形の開口部３９が形成されている。
【００５７】
従って、図８に示すように、取付片２７を第１挿通部３１の貫通孔３８に右側から挿通して、太幅部分２７Ａを開口部３９から引き出した場合には、太幅部分２７Ａの基端部に形成された斜め当接部２７Ｃが、挿入側溝部３１Ａの下側壁面３５に当接される。
【００５８】
次に、第２挿通部３２の構成について図２、図４、図６及び図７に基づいて説明する。図２、図４、図６及び図７に示すように、第２挿通部３２は、端子台蓋２５の前面部の左側縁において、取付片２７の細幅部分２７Ｂの両側縁部に形成されたストッパ部２８の幅とほぼ同じ上下方向の高さで、背面側へ所定深さ窪むように形成されて、前面側及び左方向外側に開口する引出側溝部４１が形成されている。また、端子台蓋２５の上端部から引出側溝部４１の上端部までの高さと、端子台蓋２５の上端部から第１挿通部３１の挿入側溝部３１Ａの上端部までの高さとは、ほぼ同じ上下方向の高さに形成されている。これにより、図８に示すように、取付片２７を第１挿通部３１と第２挿通部３２に略水平に取り付けることができる。
【００５９】
引出側溝部４１の前後方向奥側の第２奥側壁面部４２は、右端側に近づくに従って徐々に端子台蓋２５の前面へ近づくように形成されている。また、引出側溝部４１の左右方向右側（内側）の端縁部から所定距離左右方向左側（外側）（例えば、約５ｍｍ程度左側）の位置には、断面略四角形の第２梁部４３が、上下端部に上下方向に沿って、端子台蓋２５の前面部と面一になるように架け渡されている。そして、この第２梁部４３と第２奥側壁面部４２との間に取付片２７を挿通可能な断面縦長スリット状の第２貫通孔３２Ａが形成されている。従って、第２梁部４３の右側には、引出側溝部４１の左右方向右側（内側）の端縁部との間に、取付片２７のストッパ部２８を挿入可能な正面視略縦長四角形の挿入口４５が形成される。
【００６０】
また、図４及び図７に示すように、第２梁部４３と第２奥側壁面部４２との間に形成された断面縦長スリット状の第２貫通孔３２Ａの上下両端縁部には、それぞれから上下方向内側に前後方向全幅に渡って所定高さ（例えば、約１ｍｍ〜３ｍｍの高さである。）突出された断面略四角形の一対の係止用突出部４６が形成されている。各係止用突出部４６の突出側端縁部は、左右方向左側（取付片２７の引き出し側である。）の角部が略直角に形成されると共に、左右方向右側（取付片２７の挿入側である。）の角部が面取りされている。
【００６１】
その結果、第２貫通孔３２Ａの上下方向の高さは、取付片２７のストッパ部２８の全幅よりも少し狭い（例えば、約１ｍｍ〜２ｍｍ狭い）高さに設定される。このため、図７に示すように、取付片２７のストッパ部２８を第２挿通部３２の第２貫通孔３２Ａに押し込んだ場合には、鋸歯状に突出形成されたストッパ部２８は、一対の係止用突出部４６に係合して係止される。
【００６２】
また、図４及び図６に示すように、引出側溝部４１は、第２梁部４３よりも左右方向左側（外側）の部分に、前後方向の深さが、第２奥側壁面部４２の前後方向の深さよりも所定深さ（例えば、約３ｍｍの深さである。）だけ奥側へ深くなった段差部４８が形成されている。この結果、第２貫通孔３２Ａに挿入された取付片２７の先端側と引出側溝部４１の第２梁部４３よりも左側部分の奥側壁面部との間に所定隙間（例えば、約３ｍｍ〜４ｍｍの隙間である。）が形成される。
【００６３】
従って、図８に示すように、取付片２７の先端部を端子台蓋２５の右側縁部に形成された第１挿通部３１の貫通孔３８に挿通して開口部３９から引き出した後、取付片２７の先端部を端子台蓋２５の前面部の左側縁部に形成された第２挿通部３２の挿入口４５から第２貫通孔３２Ａに押し込んで引き出すことによって、ストッパ部２８が第２貫通孔３２Ａの一対の係止用突出部４６に係合されて係止される。
【００６４】
また、取付片２７の先端側は、太幅部分２７Ａの基端部に形成された斜め当接部２７Ｃが、挿入側溝部３１Ａの下側壁面３５に当接されるまで、第２挿通部３２から引き出される。この結果、操作絵札２６及び取付片２７は、液晶表示装置２１よりも下側に配置されると共に、操作絵札２６は、製品番号等が表示される情報表示部３３よりも外側に配置される。
【００６５】
以上詳細に説明した通り、第１実施形態に係るガスメータ１では、合成樹脂で形成された長尺状の取付片２７を第１挿通部３１の貫通孔３８に挿通した後、取付片２７の先端側を第２挿通部３２の第２貫通孔３２Ａに押し込んで挿通し、取付片２７の先端側に形成されたストッパ部２８を第２挿通部３２の第２貫通孔３２Ａに係止することによって、当該取付片２７は、基端部側が第１挿通部３１によって支持され、先端側が第２挿通部３２によって支持されると共に係止される。
【００６６】
これにより、第１挿通部３１と第２挿通部３２は、互いに正面視左右方向に離間して配置されるため、ケース３の前面部において、長尺状の取付片２７を安定して保持することが可能となる。また、復帰ボタン２２の操作手順を含む操作情報を絵と文字で表示した操作絵札２６を、一体的に形成された取付片２７によってケース３の前面部に取り付けることが可能となり、ガスメータ１の交換時等の配管作業をスムーズに行うことが可能となる。また、当該取付片２７及び操作絵札２６が風等で動いても、第２挿通部３２及び第１挿通部３１から左右方向基端部側へ抜けるのを確実に防止することが可能となる。
【００６７】
また、第１挿通部３１及び第２挿通部３２は、積算流量を表示する液晶表示装置２１よりも下側の前カバー７に取り付けられた端子台蓋２５の前面部に互いに正面視左右方向に離間して配置されるため、第１挿通部３１及び第２挿通部３２に挿通される長尺状の取付片２７は、液晶表示装置２１よりも下側のケース３の前面部に取り付けられる。これにより、操作絵札２６を、一体的に形成された取付片２７によって積算流量を表示する液晶表示装置２１よりも下方に取り付けることが可能となると共に、当該操作絵札２６を風等で上下方向に動かないように、簡易な構成でケース３の前面部に直接取り付けることが可能となる。
【００６８】
また、第１挿通部３１は、取付片２７の基端部側の斜め当接部２７Ｃが該第１挿通部３１に当接された状態において、操作絵札２６が情報表示部３３よりも右方向外側に位置するように設けられている。これにより、検針時等において、操作絵札２６が風等で動いて情報表示部３３を覆わないようにすることが可能となり、情報表示部３３に表示された製品を識別する製品番号（識別情報）等を容易に確認することが可能となる。
【００６９】
また、第１挿通部３１を構成する挿入側溝部３１Ａの左右方向外側の端部に上下方向に沿って架け渡され梁部３７によって形成される断面縦長スリット状の貫通孔３８に、取付片２７を左右方向外側から挿入した後、端子台蓋２５の前面部に形成された開口部３９から取付片２７を引き出すことができる。これにより、挿入側溝部３１Ａの左右方向外側の端部に上下方向に沿って梁部３７を架け渡すことによって、第１挿通部３１を簡易な構成で形成することが可能となる。また、第１挿通部３１に長尺状の取付片２７を迅速に挿通することが可能となり、取付片２７を端子台蓋２５の前面部に取り付ける作業性の向上を図ることが可能となる。
【００７０】
また、第２挿通部３２を構成する引出側溝部４１の上下端部に架け渡された第２梁部４３によって形成される挿入口４５と断面縦長のスリット状の第２貫通孔３２Ａに、取付片２７の先端側を挿入して引き出すことによって、取付片２７のストッパ部２８を第２貫通孔３２Ａの上下端縁部に設けられた一対の係止用突出部４６に係合させて係止することができる。
【００７１】
これにより、引出側溝部４１の上下端部に第２梁部４３を架け渡すと共に、第２貫通孔３２Ａの上下両端縁部に一対の係止用突出部４６を形成することによって、第２挿通部３２を簡易な構成で形成することが可能となる。また、第２挿通部３２に取付片２７の先端側を迅速に挿通することが可能となり、取付片２７を端子台蓋２５の前面部に取り付ける作業性の向上を図ることが可能となる。
【００７２】
また、取付片２７のストッパ部２８を第２挿通部３２に係合させて係止することができ、取付片２７の先端側が、第２挿通部３２から風等で抜けるのを防止することができる。また、引出側溝部４１は、端子台蓋２５の前面部において、取付片２７の挿通方向側の側縁部に設けられ、更に、第２梁部４３よりも左右方向左側に奥側に所定深さ窪んだ段差部４８が設けられるため、取付片２７の先端部と引出側溝部４１の奥側壁面部との間に所定隙間が形成される。これにより、第２貫通孔３２Ａに挿通された取付片２７の先端部を容易に持って引き出すことが可能となり、取付片２７を取り付ける作業性の向上を図ることができる。
【００７３】
また、取付片２７のストッパ部２８は、該取付片２７の先端側の両側縁部に、該取付片２７の基端部側の幅が第２貫通孔３２Ａの上下方向の高さより大きい幅を有し、その両側部が先端に向かって徐々に先細りに傾斜する適宜数の鋸歯状に突出形成されている。これにより、取付片２７のストッパ部２８を第２挿通部３２に形成された第２貫通孔３２Ａに迅速に押し込んで係合させ、取付片２７を係止することができると共に、一度係合すると、取付片２７を逆方向に引っ張っても容易に抜けないように取り付けることができる。
【００７４】
［第２実施形態］
次に、第２実施形態に係るガスメータ６１について図９乃至図１３に基づき説明する。尚、上記図１乃至図８に示す第１実施形態に係るガスメータ１の構成等と同一符号は、第１実施形態に係るガスメータ１の構成等と同一あるいは相当部分を示すものである。
【００７５】
第２実施形態に係るガスメータ６１の概略構成は、第１実施形態に係るガスメータ１とほぼ同じ構成である。
但し、図９及び図１０に示すように、第１挿通部３１に替えて第１挿通部６２が設けられ、第２挿通部３２に替えて第２挿通部６３が設けられている点で異なっている。
【００７６】
先ず、第１挿通部６２の構成について図９乃至図１１に基づいて説明する。図９に示すように、第１挿通部６２は、端子台蓋２５の前カバー７の左右方向略中央部に対応する左右方向の位置において、端子台蓋２５の前面部の上端縁部から上側脚部６５が前側方向へ略垂直に突出すると共に、この上側脚部６５の直下の位置から下側脚部６６が前側方向へ略垂直に突出している。また、下側脚部６６と上側脚部６５との間には、取付片２７の太幅部分２７Ａの幅よりも僅かに大きい（例えば、約０．５ｍｍ〜１．５ｍｍ大きい）隙間が上下方向に沿って形成されている。
【００７７】
そして、上側脚部６５と下側脚部６６は、端子台蓋２５の前面部から前側方向へ取付片２７の厚さよりも僅かに大きい高さに達するまで突出した後、略直角右側方向へ所定長さ（例えば、長さ約０．５ｃｍ〜１．５ｃｍである。）延出されている。また、上側脚部６５と下側脚部６６の両先端部には、上下方向に沿って第３梁部６７が、該両脚部６５、６６の前後両面と面一になるように架け渡され、端子台蓋２５の前面部から側面視及び正面視略コの字状に突出する突出リブ部６８が形成されている。これにより、突出リブ部６８は、上側脚部６５、下側脚部６６及び第３梁部６７によって、取付片２７を挿通可能な側面視断面縦長スリット状の貫通孔６９を形成する。
【００７８】
また、図１０及び図１１に示すように、下側脚部６６から端子台蓋２５の前面部側へ略直角に延出されて、取付片２７の下端縁部を支持する支持部７１が形成されている。また、端子台蓋２５の前面部には、上側脚部６５の略直角右側方向へ延出された部分、及び、第３梁部６７に対向する部分に、正面視略縦長四角形で所定深さ（例えば、深さ１ｍｍ〜２ｍｍである。）窪んだ案内凹部７２が形成されている。案内凹部７２内の左右側壁面は、奥側へ行くに従って徐々に深くなるように形成されている。これにより、取付片２７の先端部を支持部７１及び案内凹部７２に当接させつつ左側方向へ差し込むことによって、取付片２７の先端部が突出リブ部６８内へ案内され、貫通孔６９に挿通される。
【００７９】
次に、第２挿通部６３の構成について図９、図１０及び図１２に基づいて説明する。図９及び図１０に示すように、端子台蓋２５の左側縁部７５は、前カバー７の左側面部まで回り込んで該前カバー７の左側面の下端部を覆っている。第２挿通部６３は、端子台蓋２５の左側縁部７５の後端縁において、端子台蓋２５の上端縁部から断面略四角形の上側脚部７６が略垂直に突出すると共に、この上側脚部７６の直下の位置から断面略四角形の下側脚部７７が略垂直に突出している。また、上側脚部７６と下側脚部７７の両先端部には、上下方向に沿って第４梁部７８が架け渡され、端子台蓋２５の左側縁部から上下方向に沿って側面視略コの字状に突出する第２突出リブ部７９が形成されている。
【００８０】
図１０及び図１２に示すように、上側脚部７６と下側脚部７７は、端子台蓋２５の左側縁部から取付片２７の厚さよりも僅かに大きい（例えば、約０．５ｍｍ〜２ｍｍ大きい）高さに達するまで突出している。また、上側脚部７６と下側脚部７７の互いに対向する内側端縁部は、前後方向後側（取付片２７の引き出し側である。）の角部が略直角に形成されると共に、前後方向前側（取付片２７の挿入側である。）の角部が面取りされている。また、上側脚部７６と下側脚部７７の相対向する内側面間の上下方向の高さは、取付片２７のストッパ部２８の全幅よりも少し狭い（例えば、約１ｍｍ〜２ｍｍ狭い）高さに設定されている。
【００８１】
その結果、上側脚部７６と下側脚部７７の相対向する両内側面と、第４梁部７８と左側縁部７５の相対向する両内側面とによって、前後方向に貫通する上下方向に長い断面縦長スリット状の第３貫通孔８１が形成される。このため、図１２に示すように、取付片２７のストッパ部２８を第２突出リブ部７９の第３貫通孔８１に押し込んだ場合には、鋸歯状に突出形成されたストッパ部２８は、上側脚部７６と下側脚部７７に係合して係止される。
【００８２】
従って、図１３に示すように、取付片２７の先端部を端子台蓋２５の左右方向略中央部に形成された第１挿通部６２の突出リブ部６８が形成する貫通孔６９に右側から挿通して引き出した後、端子台蓋２５の左側縁部７５の後端縁に形成された第２挿通部６３の第２突出リブ部７９が形成する第３貫通孔８１に押し込んで引き出す。これによって、取付片２７のストッパ部２８が第３貫通孔８１の上下内側端縁部を形成する両脚部７６、７７に係合されて係止される。
【００８３】
また、取付片２７の先端部は、操作絵札２６の取付片２７側の側縁部が、下部ケース６の前面部に設けられた情報表示部３３から所定距離（例えば、約１ｃｍの距離である。）右側に離れた位置に達するまで、第２挿通部６３の第２突出リブ部７９から引き出される。この結果、操作絵札２６及び取付片２７は、液晶表示装置２１よりも下側に配置されると共に、操作絵札２６は、製品番号等が表示される情報表示部３３よりも外側に配置される。これにより、検針時等において、操作絵札２６が風等で動いて情報表示部３３を覆わないようにすることが可能となり、情報表示部３３に表示された製品を識別する製品番号（識別情報）等を容易に確認することが可能となる。
【００８４】
以上詳細に説明した通り、第２実施形態に係るガスメータ６１では、合成樹脂で形成された長尺状の取付片２７を第１挿通部６２の突出リブ部６８に右側から挿通した後、取付片２７の先端側を第２挿通部６３の第２突出リブ部７９が形成する第３貫通孔８１に押し込んで挿通し、取付片２７の先端側に形成されたストッパ部２８を第２挿通部６３の第３貫通孔８１に係止することによって、当該取付片２７は、基端部側が第１挿通部６２によって支持され、先端側が第２挿通部６３によって支持されると共に係止される。
【００８５】
これにより、第１挿通部６２と第２挿通部６３は、互いに正面視左右方向に離間して配置されるため、ケース３の前面部において、長尺状の取付片２７を安定して保持することが可能となる。また、復帰ボタン２２の操作手順を含む操作情報を絵と文字で表示した操作絵札２６を、一体的に形成された取付片２７によってケース３の前面部に取り付けることが可能となり、ガスメータ６１の交換時等の配管作業をスムーズに行うことが可能となる。また、当該取付片２７及び操作絵札２６が風等で動いても、第２挿通部６３及び第１挿通部６２から左右方向基端部側へ抜けるのを確実に防止することが可能となる。
【００８６】
また、第１挿通部６２及び第２挿通部６３は、積算流量を表示する液晶表示装置２１よりも下側の前カバー７に取り付けられた端子台蓋２５の前面部及び左側縁部７５に互いに正面視左右方向に離間して配置されるため、第１挿通部６２及び第２挿通部６３に挿通される長尺状の取付片２７は、液晶表示装置２１よりも下側のケース３の前面部に取り付けられる。これにより、操作絵札２６を、一体的に形成された取付片２７によって積算流量を表示する液晶表示装置２１よりも下方に取り付けることが可能となると共に、当該操作絵札２６を風等で上下方向に動かないように、簡易な構成でケース３の前面部に直接取り付けることが可能となる。
【００８７】
また、突出リブ部６８は、端子台蓋２５の前面部から突出する両脚部６５、６６が突出側端部から左右方向右側へ略直角に所定長さ延出されると共に、下側脚部６６から端子台蓋２５の前面部側へ略直角に延出されて、取付片２７の下端縁部を支持する支持部７１が形成される。これにより、突出リブ部６８の両脚部６５、６６が突出側端部から左右方向右側へ略直角に所定長さ延出されて、先端側が第３梁部６７によって正面視コの字状に接続されるため、第１挿通部６２に挿通された取付片２７が風等で前後方向に動くのを効果的に押さえることが可能となる。また。下側脚部６６から端子台蓋２５の前面部側へ略直角に延出された支持部７１によって、取付片２７の下端縁部が支持されるため、取付片２７が風等によって斜めに傾くのを効果的に抑止して、保持することが可能となる。
【００８８】
また、端子台蓋２５の左側縁部７５から側面視コの字状に突出する第２突出リブ部７９によって形成された縦長スリット状の第３貫通孔８１に、取付片２７の先端側を挿入して引き出すことによって、取付片２７のストッパ部２８を第２突出リブ部７９の両脚部７６、７７に係合させて係止することができる。
【００８９】
これにより、第２突出リブ部７９を端子台蓋２５の左側縁部７５から側面視コの字状に突出させると共に、第２突出リブ部７９の両脚部７６、７７を断面略四角形状に形成することによって、第２挿通部６３を簡易な構成で形成することが可能となる。また、第２挿通部６３の第２突出リブ部７９に取付片２７の先端側を迅速に挿通することが可能となり、取付片２７を端子台蓋２５の左側縁部７５に取り付ける作業性の向上を図ることが可能となる。また、取付片２７のストッパ部２８を第２突出リブ部７９の両脚部７６、７７に係合させて係止することができ、取付片２７の先端側が、第２突出リブ部７９から風等で抜けるのを簡易な構成で防止することができる。
【００９０】
また、取付片２７のストッパ部２８は、該取付片２７の先端側の両側縁部に、該取付片２７の基端部側の幅が第３貫通孔８１の上下方向の高さより大きい幅を有し、その両側部が先端に向かって徐々に先細りに傾斜する適宜数の鋸歯状に突出形成されている。これにより、取付片２７のストッパ部２８を第２突出リブ部７９に形成された第３貫通孔８１に迅速に押し込んで係合させ、取付片２７を係止することができると共に、一度係合すると、取付片２７を逆方向に引っ張っても容易に抜けないように取り付けることができる。
【００９１】
［第３実施形態］
次に、第３実施形態に係るガスメータ９１について図１４乃至図１８に基づき説明する。尚、上記図９乃至図１３に示す第２実施形態に係るガスメータ６１の構成等と同一符号は、第２実施形態に係るガスメータ６１の構成等と同一あるいは相当部分を示すものである。
【００９２】
第３実施形態に係るガスメータ９１の概略構成は、第２実施形態に係るガスメータ６１とほぼ同じ構成である。
但し、図１４及び図１８に示すように、第１挿通部６２に替えて第１挿通部９２が設けられている点で異なっている。
【００９３】
第１挿通部９２の構成について図１４乃至図１７に基づいて説明する。図１４乃至図１７に示すように、第１挿通部９２は、端子台蓋２５の前カバー７の左右方向略中央部に対応する左右方向の位置において、端子台蓋２５の前面部の上端縁部から上下方向下側へ、取付片２７の太幅部分２７Ａの幅よりも少し大きい（例えば、約３ｍｍ〜５ｍｍ大きい）高さだけ下がった位置から、所定厚さ（例えば、厚さ約２ｍｍ〜３ｍｍである。）の突出板部９３が、左右方向所定幅（例えば、幅約３ｃｍ〜４ｃｍである。）で前側に所定長さ（例えば、長さ約１ｍｍ〜３ｍｍである。）突出した後、端子台蓋２５の前面部の上端縁部に対向する高さまで、略直角上側方向へ延出されている。
【００９４】
従って、突出板部９３と端子台蓋２５の前面部との間に、上方及び左右両端部が開放された断面縦長スリット状の挿通溝９５が形成される。また、端子台蓋２５の前面部には、突出板部９３に対向する部分に、挿通溝９５の下端から端子台蓋２５の上端縁部に渡って、突出板部９３よりも正面視左右両側にそれぞれ所定長さ（例えば、長さ約２ｍｍである。）はみ出た正面視略横長四角形で所定深さ（例えば、深さ１ｍｍ〜２ｍｍである。）窪んだ案内凹部９６が形成されている。案内凹部９６内の左右側壁面は、奥側へ行くに従って徐々に深くなるように形成されている。これにより、取付片２７の先端を案内凹部９６の左右端縁部に当接した状態で差し込むことによって、挿通溝９５に取付片２７の先端を容易に差し込むことができる。
【００９５】
また、上面が斜め前下方向に傾斜する断面略直角三角形状の一対の押さえ用突出部９７、９８が、突出板部９３の上端縁部の左右両端の近傍位置にそれぞれ位置するように、端子台蓋２５の前面部の上端縁部から、挿通溝９５の側面視前後方向の幅よりも少し高い高さで、端子台蓋２５の上端縁部に沿って正面視略水平なリブ状に突出形成されている。また、挿通溝９５の底面から、一対の押さえ用突出部９７、９８のそれぞれの下端面までの上下方向の高さは、取付片２７の太幅部分２７Ａの幅とほぼ同じ高さ寸法に形成されている。
【００９６】
また、左側の押さえ用突出部９７の左右方向の幅は、右側の押さえ用突出部９８の左右方向の幅よりも所定長さ（例えば、長さ約３ｃｍである。）だけ長くなるように形成されている。これにより、挿通溝９５に挿通された取付片２７の太幅部分２７Ａの下端縁部は、挿通溝９５内の底面部に当接して支持されると共に、この太幅部分２７Ａの上端縁部は、一対の押さえ用突出部９７、９８のそれぞれの下端面に当接して支持される。
【００９７】
従って、図１８に示すように、取付片２７の先端部を端子台蓋２５の左右方向略中央部に形成された第１挿通部９２の突出板部９３と、端子台蓋２５の前面部との間に形成される挿通溝９５に右側から挿通して、左側の押さえ用突出部９７の下端面の下側へ引き出した後、端子台蓋２５の左側縁部７５の後端縁に形成された第２挿通部６３の第２突出リブ部７９が形成する第３貫通孔８１に押し込んで引き出す。
【００９８】
これによって、取付片２７の太幅部分２７Ａが、突出板部９３と端子台蓋２５の前面部との間に形成される挿通溝９５内に支持されると共に、太幅部分２７Ａの上端縁部が、一対の押さえ用突出部９７、９８のそれぞれの下端面に当接して支持される。また、取付片２７のストッパ部２８が第３貫通孔８１の上下内側端縁部を形成する両脚部７６、７７に係合されて係止される。
【００９９】
また、取付片２７の先端部は、操作絵札２６の左側縁部が、下部ケース６の前面部に設けられた情報表示部３３から所定距離（例えば、約１ｃｍの距離である。）右側に離れた位置に達するまで、第２挿通部６３の第２突出リブ部７９から引き出される。この結果、操作絵札２６及び取付片２７は、液晶表示装置２１よりも下側に配置されると共に、操作絵札２６は、製品番号等が表示される情報表示部３３よりも外側に配置される。これにより、検針時等において、操作絵札２６が風等で動いて情報表示部３３を覆わないようにすることが可能となり、情報表示部３３に表示された製品を識別する製品番号（識別情報）等を容易に確認することが可能となる。
【０１００】
以上詳細に説明した通り、第３実施形態に係るガスメータ９１では、合成樹脂で形成された長尺状の取付片２７を突出板部９３と端子台蓋２５の前面部との間に形成される挿通溝９５に右側から挿通した後、取付片２７の先端側を第２挿通部６３の第２突出リブ部７９が形成する第３貫通孔８１に押し込んで挿通し、取付片２７の先端側に形成されたストッパ部２８を第２挿通部６３の第３貫通孔８１に係止することによって、当該取付片２７は、基端部側が第１挿通部９２によって支持され、先端側が第２挿通部６３によって支持されると共に係止される。
【０１０１】
これにより、第１挿通部９２と第２挿通部６３は、互いに正面視左右方向に離間して配置されるため、ケース３の前面部において、長尺状の取付片２７を安定して保持することが可能となる。また、復帰ボタン２２の操作手順を含む操作情報を絵と文字で表示した操作絵札２６を、一体的に形成された取付片２７によってケース３の前面部に取り付けることが可能となり、ガスメータ９１の交換時等の配管作業をスムーズに行うことが可能となる。また、当該取付片２７及び操作絵札２６が風等で動いても、第２挿通部６３及び第１挿通部９２から左右方向基端部側へ抜けるのを確実に防止することが可能となる。
【０１０２】
また、第１挿通部９２及び第２挿通部６３は、積算流量を表示する液晶表示装置２１よりも下側の前カバー７に取り付けられた端子台蓋２５の前面部及び左側縁部に互いに正面視左右方向に離間して配置されるため、第１挿通部９２及び第２挿通部６３に挿通される長尺状の取付片２７は、液晶表示装置２１よりも下側のケース３の前面部に取り付けられる。これにより、操作絵札２６を、一体的に形成された取付片２７によって積算流量を表示する液晶表示装置２１よりも下方に取り付けることが可能となると共に、当該操作絵札２６を風等で上下方向に動かないように、簡易な構成でケース３の前面部に直接取り付けることが可能となる。
【０１０３】
また、端子台蓋２５の前面部から側面視略Ｌ字状に突出する突出板部９３によって形成される断面縦長スリット状の挿通溝９５に取付片２７を挿入することによって、取付片２７の基端部側の太幅部分２７Ａを支持することができる。また、端子台蓋２５の前面部から所定高さ突出する一対の押さえ用突出部９７、９８によって、挿通溝９５に差し込まれた取付片２７の太幅部分２７Ａの挿通溝９５に対して左右方向両外側の上端縁部が押さえられるため、取付片２７が挿通溝９５から上方向へ抜けるのを防止することができる。
【０１０４】
これにより、側面視略Ｌ字状に突出する突出板部９３と一対の押さえ用突出部９７、９８によって、第１挿通部９２を簡易な構成で形成することが可能となる。また、挿通溝９５に長尺状の取付片２７を迅速に挿通することが可能となり、取付片２７を端子台蓋２５の前面部又は側縁部に取り付ける作業性の向上を図ることが可能となる。また、突出板部９３と一対の押さえ用突出部９７、９８によって、取付片２７の基端部側の太幅部分２７Ａを左右方向所定幅に渡って支持することができるため、長尺状の取付片２７が風等で動かないように効果的に支持することが可能となる。
【０１０５】
また、端子台蓋２５の左側縁部７５から側面視コの字状に突出する第２突出リブ部７９によって形成された縦長スリット状の第３貫通孔８１に、取付片２７の先端側を挿入して引き出すことによって、取付片２７のストッパ部２８を第２突出リブ部７９の両脚部７６、７７に係合させて係止することができる。
【０１０６】
これにより、第２突出リブ部７９を端子台蓋２５の左側縁部７５から側面視コの字状に突出させると共に、第２突出リブ部７９の両脚部７６、７７を断面略四角形状に形成することによって、第２挿通部６３を簡易な構成で形成することが可能となる。また、第２挿通部６３の第２突出リブ部７９に取付片２７の先端側を迅速に挿通することが可能となり、取付片２７を端子台蓋２５の左側縁部７５に取り付ける作業性の向上を図ることが可能となる。また、取付片２７のストッパ部２８を第２突出リブ部７９の両脚部７６、７７に係合させて係止することができ、取付片２７の先端側が、第２突出リブ部７９から風等で抜けるのを簡易な構成で防止することができる。
【０１０７】
［第４実施形態］
次に、第４実施形態に係るガスメータ１１１について図１２、図１９乃至図２２に基づき説明する。尚、上記図１乃至図８に示す第１実施形態に係るガスメータ１の構成、及び、上記図９乃至図１３に示す第２実施形態に係るガスメータ６１の構成等と同一符号は、第１実施形態に係るガスメータ１の構成、及び、第２実施形態に係るガスメータ６１の構成等と同一あるいは相当部分を示すものである。
【０１０８】
先ず、第４実施形態に係るガスメータ１１１の概略構成について図１９、図２０及び図２２に基づいて説明する。図１９、図２０及び図２２に示すように、第４実施形態に係るガスメータ１１１は、所謂超音波式ガスメータであり、被計測流体の一例である都市ガスの流量を計測する都市ガスメータであって、都市ガスの配管２の途中に接続された横長略直方体形状のケース１１２を備えている。
【０１０９】
ケース１１２は、アルミダイカストで形成され、前面側が合成樹脂製の前カバー１１３で覆われている。ケース１１２の上面からは、配管２に気密に接続される流入口８と流出口９が平面視長手方向の両端部に突出して設けられており、ケース１１２内に連通している。また、ケース１１２は、中間仕切壁１１５によって内部が上下に仕切られており、中間仕切壁１１の下側部分には、流量計測室１１６が設けられ、不図示の超音波式流量計測ユニットが長手方向に沿って配設されている。
【０１１０】
この中間仕切壁１１５の上側部分には、前面部分が開放されるように形成され、ネジ止め等で取り付けられた前カバー１１３で覆われる制御室１１７が形成されている。また、中間仕切壁１１５の上側部分には、流入口８から流量計測室１１６に連通して、流入口８から供給された都市ガスを流量計測室１１６に案内する流入側流路１１８と、流量計測室１１６から流出口９に連通して、流量計測室１１６から排出されるガスを案内する排出側流路１１９とが形成されている。流入側流路１１８には、圧力異常や地震を検出した場合に、流入側流路１１８を閉鎖して流量計測室１１６へのガスの供給を遮断する遮断弁１７が配設されている。遮断弁１７は、通常時は開弁状態に設定されている。
【０１１１】
また制御室１１７には、ガスメータ１１１に供給されるガス圧力を検出する不図示の圧力センサ、地震の震動を検出する不図示の感震器、制御基板１８等が配設されている。制御基板１８には、遮断弁１７を駆動する遮断弁駆動回路、ＣＰＵ、ＲＡＭ、ＲＯＭ等を有する制御回路等が配設されている。また、制御基板１８には、圧力センサ、感震器、超音波式流量計測ユニット、遮断弁１７等が電気的に接続されると共に、前カバー１１３の前面部に設けられた液晶表示装置（表示手段）２１、復帰ボタン２２等が電気的に接続されている。
【０１１２】
液晶表示装置２１には、制御基板１８の制御回路を介して超音波式流量計測ユニットによって計測されるガスの積算流量等が演算されて表示される。また、復帰ボタン２２は、押圧されることによって、閉弁動作をした遮断弁１７を開放する（リセットする）ように指示する開放指示信号を制御基板１８に出力する。制御基板１８に設けられた制御回路は、遮断弁１７を開放するように指示する開放指示信号が入力された場合には、遮断弁駆動回路を介して遮断弁１７に開弁動作をさせる。従って、ユーザは、復帰ボタン２２を押圧することによって、閉弁状態の遮断弁１７に開弁動作をさせて（遮断弁１７をリセットして）、ガスの供給を再開させることができる。
【０１１３】
また、前カバー１１３の前面部には、液晶表示装置２１の右側に、ガスメータ１１１を識別する製造番号（識別情報）等が表示される左右方向に長い正面視略長方形状の情報表示部１２１が設けられている。また、前カバー１１３の液晶表示装置２１よりも下側の部分には、左右方向に長い正面視略矩形状の合成樹脂製の端子台蓋１２２が、前カバー７の前面部と面一になるようにネジ止め等によって着脱可能に取り付けられている。前カバー１１３の端子台蓋１２２で覆われる部分は、左右方向略全幅に渡って所定深さ後側に窪むように形成されて、制御基板１８に電気的に接続された不図示のコネクタ端子が配設され、この端子台蓋１２２で覆われている。
【０１１４】
図１９及び図２１に示すように、端子台蓋１２２の前面の中央部には、液晶表示装置２１の直下において、液晶表示装置２１の左右幅よりも少し広い幅で、上端縁部の少し下側（例えば、約５ｍｍ〜１０ｍｍ下側である。）の位置から下端縁部まで、背面側へ所定深さ（例えば、深さ約１ｍｍ〜２ｍｍである。）窪んだ左右方向に長い正面視略直方形状の凹部１２５が形成されている。また、端子台蓋１２２の前面部には、左右方向中央部よりも少し右側（例えば、約１ｃｍ〜２ｃｍ右側である。）の位置に、操作絵札２６の上端角部から上端縁に沿って所定長さ延出された長尺状の取付片２７が挿通される第１挿通部１２６が形成されている。
【０１１５】
第１挿通部１２６は、正面視略直方形状の凹部１２５の上端縁部から、断面略四角形の上側脚部１２７が前側方向へ略垂直に低い所定高さ（例えば、高さ約０．５ｍｍ〜１ｍｍである。）で突出している。また、この上側脚部１２７の直下の凹部１２５の奥側壁面部の位置から、断面略四角形の下側脚部１２８が前側方向へ上側脚部１２７の先端部に対向する高さまで略垂直に突出している。また、上側脚部１２７と下側脚部１２８の両先端部には、上下方向に沿って第５梁部１３１が架け渡され、凹部１２５の上縁部分から上下方向に沿って側面視略コの字状に突出する突出リブ部１３２が形成されている。
【０１１６】
図２１に示すように、上側脚部１２７と下側脚部１２８は、凹部１２５の奥側壁面部から取付片２７の厚さよりも僅かに大きい（例えば、約０．５ｍｍ〜２ｍｍ大きい）高さに達するまで突出している。また、上側脚部１２７と下側脚部１２８の相対向する内側面間の上下方向の高さは、取付片２７の太幅部分２７Ａの幅よりも僅かに大きい（例えば、約０．５ｍｍ〜１．５ｍｍ大きい）高さに設定されている。その結果、上側脚部１２７と下側脚部１２８の相対向する両内側面と、第５梁部１３１と凹部１２５の奥側壁面部とによって、左右方向に貫通する上下方向に長い断面縦長スリット状の貫通孔１３３が形成される。
【０１１７】
また、図１９及び図２１に示すように、端子台蓋１２２の左側縁部１３５は、前カバー１１３の左側面部まで回り込んで該前カバー１１３の左側面の下端部を覆っている。端子台蓋１２２の左側縁部１３５の後端縁には、第１挿通部１２６の突出リブ部１３２に挿通された取付片２７の先端側が挿通されて係止される第２挿通部６３が上下方向に沿って形成されている。
【０１１８】
第２挿通部６３は、端子台蓋１２２の左側縁部１３５の後端縁において、端子台蓋１２２の上端縁部から断面略四角形の上側脚部７６が略垂直に突出すると共に、この上側脚部７６の直下の位置から断面略四角形の下側脚部７７が略垂直に突出している。また、上側脚部７６と下側脚部７７の両先端部には、上下方向に沿って第４梁部７８が架け渡され、端子台蓋２５の左側縁部から上下方向に沿って側面視略コの字状に突出する第２突出リブ部７９が形成されている。
【０１１９】
また、図２１及び図１２に示すように、上側脚部７６と下側脚部７７は、端子台蓋２５の左側縁部から取付片２７の厚さよりも僅かに大きい（例えば、約０．５ｍｍ〜２ｍｍ大きい）高さに達するまで突出している。また、上側脚部７６と下側脚部７７の互いに対向する内側端縁部は、前後方向後側（取付片２７の引き出し側である。）の角部が略直角に形成されると共に、前後方向前側（取付片２７の挿入側である。）の角部が面取りされている。また、上側脚部７６と下側脚部７７の相対向する内側面間の上下方向の高さは、取付片２７のストッパ部２８の全幅よりも少し狭い（例えば、約１ｍｍ〜２ｍｍ狭い）高さに設定されている。
【０１２０】
その結果、上側脚部７６と下側脚部７７の相対向する両内側面と、第４梁部７８と左側縁部１３５の相対向する両内側面とによって、前後方向に貫通する上下方向に長い断面縦長スリット状の第３貫通孔８１が形成される。このため、図１２に示すように、取付片２７のストッパ部２８を第２突出リブ部７９の第３貫通孔８１に押し込んだ場合には、鋸歯状に突出形成されたストッパ部２８は、上側脚部７６と下側脚部７７に係合して係止される。
【０１２１】
従って、図２２に示すように、取付片２７の先端部を端子台蓋１２２の左右方向略中央部よりも少し右側の位置に形成された第１挿通部１２６の突出リブ部１３２が形成する貫通孔１３３に右側から挿通して引き出した後、端子台蓋１２２の左側縁部１３５の後端縁に形成された第２挿通部６３の第２突出リブ部７９が形成する第３貫通孔８１に押し込んで引き出す。これによって、取付片２７のストッパ部２８が第３貫通孔８１の上下内側端縁部を形成する両脚部７６、７７に係合されて係止される。
【０１２２】
また、取付片２７の先端側は、太幅部分２７Ａの基端部に形成された斜め当接部２７Ｃが、突出リブ部１３２に当接されるまで、第２挿通部６３から引き出される。この結果、操作絵札２６及び取付片２７は、液晶表示装置２１よりも下側に配置されると共に、操作絵札２６は、製品番号等が表示される情報表示部１２１よりも下側に配置される。これにより、検針時等において、操作絵札２６が風等で動いて情報表示部１２１を覆わないようにすることが可能となり、情報表示部３３に表示された製品を識別する製品番号（識別情報）等を容易に確認することが可能となる。
【０１２３】
以上詳細に説明した通り、第４実施形態に係るガスメータ１１１では、合成樹脂で形成された長尺状の取付片２７を第１挿通部１２６の突出リブ部１３２に右側から挿通した後、取付片２７の先端側を第２挿通部６３の第２突出リブ部７９が形成する第３貫通孔８１に押し込んで挿通し、取付片２７の先端側に形成されたストッパ部２８を第２挿通部６３の第３貫通孔８１に係止することによって、当該取付片２７は、基端部側が第１挿通部１２６の突出リブ部１３２によって支持され、先端側が第２挿通部６３の第２突出リブ部７９によって支持されると共に係止される。
【０１２４】
これにより、第１挿通部１２６と第２挿通部６３は、互いに正面視左右方向に離間して配置されるため、ケース１１２の前面部において、長尺状の取付片２７を安定して保持することが可能となる。また、復帰ボタン２２の操作手順を含む操作情報を絵と文字で表示した操作絵札２６を、一体的に形成された取付片２７によってケース１１２の前面部に取り付けることが可能となり、ガスメータ１１１の交換時等の配管作業をスムーズに行うことが可能となる。また、当該取付片２７及び操作絵札２６が風等で動いても、第２挿通部６３及び第１挿通部１２６から左右方向基端部側へ抜けるのを確実に防止することが可能となる。
【０１２５】
また、第１挿通部１２６及び第２挿通部６３は、積算流量を表示する液晶表示装置２１よりも下側の前カバー１１３に取り付けられた端子台蓋１２２の前面部及び左側縁部１３５に互いに正面視左右方向に離間して配置されるため、第１挿通部１２６の突出リブ部１３２及び第２挿通部６３の第２突出リブ部７９に挿通される長尺状の取付片２７は、液晶表示装置２１よりも下側のケース１１２の前面部に取り付けられる。これにより、操作絵札２６を、一体的に形成された取付片２７によって積算流量を表示する液晶表示装置２１よりも下方に取り付けることが可能となると共に、当該操作絵札２６を風等で上下方向に動かないように、簡易な構成でケース１１２の前面部に直接取り付けることが可能となる。
【０１２６】
また、端子台蓋１２２の前面部から側面視略コの字状に突出する突出リブ部１３２によって形成される断面縦長スリット状の貫通孔１３３に、取付片２７を右側から挿入した後、引き出すことができる。これにより、第１挿通部１２６を側面視略コの字状に突出する突出リブ部１３２によって簡易な構成で形成することが可能となる。また、第１挿通部１２６の突出リブ部１３２に長尺状の取付片２７を迅速に挿通することが可能となり、取付片２７を端子台蓋１２２の前面部に取り付ける作業性の向上を図ることが可能となる。
【０１２７】
また、端子台蓋１２２の左側縁部１３５から側面視コの字状に突出する第２突出リブ部７９によって形成された縦長スリット状の第３貫通孔８１に、取付片２７の先端側を挿入して引き出すことによって、取付片２７のストッパ部２８を第２突出リブ部７９の両脚部７６、７７に係合させて係止することができる。
【０１２８】
これにより、第２突出リブ部７９を端子台蓋１２２の左側縁部１３５から側面視コの字状に突出させると共に、第２突出リブ部７９の両脚部７６、７７を断面略四角形状に形成することによって、第２挿通部６３を簡易な構成で形成することが可能となる。また、第２挿通部６３の第２突出リブ部７９に取付片２７の先端側を迅速に挿通することが可能となり、取付片２７を端子台蓋１２２の左側縁部１３５に取り付ける作業性の向上を図ることが可能となる。また、取付片２７のストッパ部２８を第２突出リブ部７９の両脚部７６、７７に係合させて係止することができ、取付片２７の先端側が、第２突出リブ部７９から風等で抜けるのを簡易な構成で防止することができる。
【０１２９】
［第５実施形態］
次に、第５実施形態に係るガスメータ１５１について図２３乃至図２７に基づき説明する。尚、上記図９乃至図１３に示す第２実施形態に係るガスメータ６１の構成等と同一符号は、第２実施形態に係るガスメータ６１の構成等と同一あるいは相当部分を示すものである。
【０１３０】
第５実施形態に係るガスメータ１５１の概略構成は、第２実施形態に係るガスメータ６１とほぼ同じ構成である。
但し、図２３乃至図２６に示すように、端子台蓋２５の前面部の右側縁に、右側第２挿通部１５２が更に設けられている点で異なっている。
【０１３１】
右側第２挿通部１５２について図２３乃至図２６に基づいて説明する。図２３乃至図２６に示すように、右側第２挿通部１５２は、端子台蓋２５の前面部の右側縁において、上端から所定高さだけ、例えば、取付片２７の太幅部分２７Ａの幅の約２倍程度の高さだけ上下方向下側の位置までの部分から、端子台蓋２５の前面部と面一になるように、左右方向右側へ平板状に所定長さ（例えば、長さ約５ｍｍ〜８ｍｍである。）延出された正面視略縦長四角形状の張出リブ部１５３が形成されている。張出リブ部１５３の厚さは、取付片２７の適宜数の鋸歯状に突出形成されたストッパ部２８のピッチよりも短い所定厚さ（例えば、厚さ約２ｍｍ〜３ｍｍである。）に設定されている。
【０１３２】
また、張出リブ部１５３の上下方向略中央部には、該張出リブ部１５３の端子台蓋２５側の基端部に沿って、前後方向に貫通する上下方向に長い断面縦長スリット状の第４貫通孔１５５が形成されている。この第４貫通孔１５５の上下方向の相対向する内側面間の最小距離は、取付片２７のストッパ部２８の全幅よりも少し狭い（例えば、約１ｍｍ〜２ｍｍ狭い）距離に設定されている。また、第４貫通孔１５５の左右方向の相対向する内側面間の最小距離は、取付片２７の厚さよりも僅かに大きい（例えば、約０．５ｍｍ〜２ｍｍ大きい）距離に設定されている。
【０１３３】
また、図２３及び図２４に示すように、端子台蓋２５の上端縁部から、第１挿通部６２の突出リブ部６８によって形成される断面縦長スリット状の貫通孔６９の上下方向の中央位置までの距離と、張出リブ部１５３に形成された断面縦長スリット状の第４貫通孔１５５の上下方向の中央位置までの距離とは、ほぼ等しい距離に設定されている。
【０１３４】
また、図２４乃至図２６に示すように、第４貫通孔１５５の前後方向前側（取付片２７の挿入側である。）の周縁部は、全周に渡って角部が面取りされている。一方、第４貫通孔１５５の前後方向後側（取付片２７の引き出し側である。）の周縁部、つまり、裏側周縁部は、全周に渡って角部は面取りされていない。このため、図２６に示すように、取付片２７のストッパ部２８を第４貫通孔１５５に前側から押し込んだ場合には、鋸歯状に突出形成されたストッパ部２８は、第４貫通孔１５５の上下の裏側周縁部に係合して係止される。
【０１３５】
従って、図２７に示すように、取付片２７の先端部を端子台蓋２５の左右方向略中央部に形成された第１挿通部６２の突出リブ部６８が形成する貫通孔６９に左側から挿通して引き出す。その後、引き出した取付片２７の先端部を、端子台蓋２５の右側縁から延出された張出リブ部１５３に形成された断面縦長スリット状の第４貫通孔１５５に前側から押し込んで、裏側へ引き出す。これによって、取付片２７のストッパ部２８が第４貫通孔１５５の上下の裏側周縁部に係合されて係止される。
【０１３６】
また、取付片２７の先端部は、操作絵札２６の取付片２７側の側縁部が、下部ケース６の前面部に設けられた情報表示部３３から所定距離（例えば、約１ｃｍの距離である。）左側に離れた位置に達するまで、右側第２挿通部１５２の第４貫通孔１５５から引き出される。この結果、操作絵札２６及び取付片２７は、液晶表示装置２１よりも下側に配置されると共に、操作絵札２６は、製品番号等が表示される情報表示部３３よりも外側に配置される。これにより、検針時等において、操作絵札２６が風等で動いて情報表示部３３を覆わないようにすることが可能となり、情報表示部３３に表示された製品を識別する製品番号（識別情報）等を容易に確認することが可能となる。
【０１３７】
以上詳細に説明した通り、第５実施形態に係るガスメータ１５１では、上記第２実施形態に係るガスメータ６１と同様の効果を奏すると共に、更に下記の効果を奏する。
【０１３８】
第５実施形態に係るガスメータ１５１では、合成樹脂で形成された長尺状の取付片２７を第１挿通部６２の突出リブ部６８に左側から挿通した後、取付片２７の先端側を右側第２挿通部１５２の張出リブ部１５３に形成された断面縦長スリット状の第４貫通孔１５５に前側から押し込んで、裏側へ引き出し、取付片２７の先端側に形成されたストッパ部２８を第４貫通孔１５５の裏側周縁部に係止することによって、当該取付片２７は、基端部側が第１挿通部６２によって支持され、先端側が右側第２挿通部１５２によって支持されると共に係止される。
【０１３９】
これにより、第１挿通部６２と右側第２挿通部１５２は、互いに正面視左右方向に離間して配置されるため、ケース３の前面部において、長尺状の取付片２７を安定して保持することが可能となる。また、復帰ボタン２２の操作手順を含む操作情報を絵と文字で表示した操作絵札２６を、一体的に形成された取付片２７によってケース３の前面部に取り付けることが可能となり、ガスメータ１５１の交換時等の配管作業をスムーズに行うことが可能となる。また、当該取付片２７及び操作絵札２６が風等で動いても、右側第２挿通部１５２及び第１挿通部６２から左右方向基端部側へ抜けるのを確実に防止することが可能となる。
【０１４０】
また、第１挿通部６２及び右側第２挿通部１５２は、積算流量を表示する液晶表示装置２１よりも下側の前カバー７に取り付けられた端子台蓋２５の前面部の略中央部及び前面部の右側縁に互いに正面視左右方向に離間して配置されるため、第１挿通部６２及び右側第２挿通部１５２に挿通される長尺状の取付片２７は、液晶表示装置２１よりも下側の端子台蓋２５の前面部に取り付けられる。これにより、操作絵札２６を、一体的に形成された取付片２７によって積算流量を表示する液晶表示装置２１よりも下方に取り付けることが可能となると共に、当該操作絵札２６を風等で上下方向に動かないように、簡易な構成でケース３の前面部に直接取り付けることが可能となる。
【０１４１】
また、端子台蓋２５の前面部において、平板状の張出リブ部１５３を右側縁から左右方向外側へ延出して形成し、この張出リブ部１５３に縦長スリット状の第４貫通孔１５５を形成することによって、右側第２挿通部１５２を簡易な構成で形成することが可能となる。また、取付片２７の先端側を端子台蓋２５の前面側から第４貫通孔１５５に迅速に挿通することが可能となり、取付片２７を端子台蓋２５の前面部に取り付ける作業性の向上を図ることが可能となる。また、取付片２７のストッパ部２８を張出リブ部１５３に形成された第４貫通孔１５５に迅速に押し込んで係合させ、取付片２７を係止することができると共に、一度係合すると、取付片２７を逆方向に引っ張っても容易に抜けないように取り付けることができる。
【０１４２】
また、取付片２７のストッパ部２８を第４貫通孔１５５の裏側周縁部に係止することができ、取付片２７の先端側が、第４貫通孔１５５から風等で抜けるのを簡易な構成で防止することができる。また、第４貫通孔１５５は平板状に延出された張出リブ部１５３に形成されるため、第４貫通孔１５５に挿通された取付片の先端部を容易に持って引き出すことが可能となり、取付片２７を取り付ける作業性の向上を図ることができる。
【０１４３】
また、第２挿通部６３と右側第２挿通部１５２は、第１挿通部６２を挟んで左右両側に配置される。これにより、取付片２７を左側から第１挿通部６２の突出リブ部６８に挿通した場合には、取付片２７の先端側を第１挿通部６２に対して右側に配置された右側第２挿通部１５２の第４貫通孔１５５に挿入して係止することが可能となる。一方、取付片２７を右側から第１挿通部６２の突出リブ部６８に挿通した場合には、取付片２７の先端側を第１挿通部６２に対して左側に配置された第２挿通部６３の第２突出リブ部７９に挿入して係止することが可能となる。従って、作業者は、ガスメータ１５１が設置された周囲の状況に合わせて、取付片２７を第１挿通部６２の左側又は右側のうち、任意の方向から突出リブ部６８に挿入して、端子台蓋２５の前面部又は側縁部に直接取り付けることが可能となる。
【０１４４】
［第６実施形態］
次に、第６実施形態に係るガスメータ１７１について図２８乃至図３０に基づき説明する。尚、上記図１４乃至図１８に示す第３実施形態に係るガスメータ９１の構成、及び、上記図２３乃至図２７に示す第５実施形態に係るガスメータ１５１の構成等と同一符号は、第３実施形態に係るガスメータ９１の構成、及び、第５実施形態に係るガスメータ１５１の構成等と同一あるいは相当部分を示すものである。
【０１４５】
第６実施形態に係るガスメータ１７１の概略構成は、第３実施形態に係るガスメータ９１とほぼ同じ構成である。
但し、図２８乃至図３０に示すように、端子台蓋２５の前面部の右側縁に、上記第５実施形態に係るガスメータ１５１と同様に、右側第２挿通部１５２（図２３、図２４参照）が更に設けられている点で異なっている。
【０１４６】
右側第２挿通部１５２について図２８及び図２９に基づいて説明する。図２８及び図２９に示すように、右側第２挿通部１５２は、端子台蓋２５の前面部の右側縁から左右方向右側へ平板状に所定長さ（例えば、長さ約５ｍｍ〜８ｍｍである。）延出された正面視略縦長四角形状の張出リブ部１５３が形成されている。また、張出リブ部１５３の上下方向略中央部には、該張出リブ部１５３の端子台蓋２５側の基端部に沿って、前後方向に貫通する上下方向に長い断面縦長スリット状の第４貫通孔１５５が形成されている。
【０１４７】
また、第４貫通孔１５５の前後方向前側（取付片２７の挿入側である。）の周縁部は、全周に渡って角部が面取りされている（図２５、図２６参照）。一方、第４貫通孔１５５の前後方向後側（取付片２７の引き出し側である。）の周縁部、つまり、裏側周縁部は、全周に渡って角部は面取りされていない（図２５、図２６参照）。このため、図３０に示すように、取付片２７のストッパ部２８を第４貫通孔１５５に前側から押し込んだ場合には、鋸歯状に突出形成されたストッパ部２８は、第４貫通孔１５５の上下の裏側周縁部に係合して係止される。
【０１４８】
また、図２８及び図２９に示すように、端子台蓋２５の上端縁部から、第１挿通部９２の突出板部９３と端子台蓋２５の前面部との間に形成された断面縦長スリット状の挿通溝９５の上下方向の中央位置までの距離と、張出リブ部１５３に形成された断面縦長スリット状の第４貫通孔１５５の上下方向の中央位置までの距離とは、ほぼ等しい距離に設定されている。
【０１４９】
従って、取付片２７の先端部を端子台蓋２５の左右方向略中央部に形成された第１挿通部９２の突出板部９３と、端子台蓋２５の前面部との間に形成される挿通溝９５に左側から挿通して、右側の押さえ用突出部９８の下端面の下側へ引き出す。その後、引き出した取付片２７の先端部を、端子台蓋２５の右側縁から延出された張出リブ部１５３に形成された断面縦長スリット状の第４貫通孔１５５に前側から押し込んで、裏側へ引き出す。これによって、取付片２７のストッパ部２８が第４貫通孔１５５の上下の裏側周縁部に係合されて係止される。
【０１５０】
また、取付片２７の先端部は、操作絵札２６の取付片２７側の側縁部が、下部ケース６の前面部に設けられた情報表示部３３から所定距離（例えば、約１ｃｍの距離である。）左側に離れた位置に達するまで、右側第２挿通部１５２の第４貫通孔１５５から引き出される。この結果、操作絵札２６及び取付片２７は、液晶表示装置２１よりも下側に配置されると共に、操作絵札２６は、製品番号等が表示される情報表示部３３よりも外側に配置される。これにより、検針時等において、操作絵札２６が風等で動いて情報表示部３３を覆わないようにすることが可能となり、情報表示部３３に表示された製品を識別する製品番号（識別情報）等を容易に確認することが可能となる。
【０１５１】
以上詳細に説明した通り、第６実施形態に係るガスメータ１７１では、上記第３実施形態に係るガスメータ９１と同様の効果を奏すると共に、更に下記の効果を奏する。
【０１５２】
第６実施形態に係るガスメータ１７１では、合成樹脂で形成された長尺状の取付片２７を突出板部９３と端子台蓋２５の前面部との間に形成される挿通溝９５に左側から挿通した後、取付片２７の先端側を右側第２挿通部１５２の張出リブ部１５３に形成された断面縦長スリット状の第４貫通孔１５５に前側から押し込んで、裏側へ引き出し、取付片２７の先端側に形成されたストッパ部２８を第４貫通孔１５５の裏側周縁部に係止することによって、当該取付片２７は、基端部側が第１挿通部９２によって支持され、先端側が右側第２挿通部１５２によって支持されると共に係止される。
【０１５３】
これにより、第１挿通部９２と右側第２挿通部１５２は、互いに正面視左右方向に離間して配置されるため、ケース３の前面部において、長尺状の取付片２７を安定して保持することが可能となる。また、復帰ボタン２２の操作手順を含む操作情報を絵と文字で表示した操作絵札２６を、一体的に形成された取付片２７によってケース３の前面部に取り付けることが可能となり、ガスメータ１７１の交換時等の配管作業をスムーズに行うことが可能となる。また、当該取付片２７及び操作絵札２６が風等で動いても、右側第２挿通部１５２及び第１挿通部９２から左右方向基端部側へ抜けるのを確実に防止することが可能となる。
【０１５４】
また、第１挿通部９２及び右側第２挿通部１５２は、積算流量を表示する液晶表示装置２１よりも下側の前カバー７に取り付けられた端子台蓋２５の前面部の略中央部及び前面部の右側縁に互いに正面視左右方向に離間して配置されるため、第１挿通部９２及び右側第２挿通部１５２に挿通される長尺状の取付片２７は、液晶表示装置２１よりも下側の端子台蓋２５の前面部に取り付けられる。これにより、操作絵札２６を、一体的に形成された取付片２７によって積算流量を表示する液晶表示装置２１よりも下方に取り付けることが可能となると共に、当該操作絵札２６を風等で上下方向に動かないように、簡易な構成でケース３の前面部に直接取り付けることが可能となる。
【０１５５】
また、端子台蓋２５の前面部において、平板状の張出リブ部１５３を右側縁から左右方向外側へ延出して形成し、この張出リブ部１５３に縦長スリット状の第４貫通孔１５５を形成することによって、右側第２挿通部１５２を簡易な構成で形成することが可能となる。また、取付片２７の先端側を端子台蓋２５の前面側から第４貫通孔１５５に迅速に挿通することが可能となり、取付片２７を端子台蓋２５の前面部に取り付ける作業性の向上を図ることが可能となる。また、取付片２７のストッパ部２８を張出リブ部１５３に形成された第４貫通孔１５５に迅速に押し込んで係合させ、取付片２７を係止することができると共に、一度係合すると、取付片２７を逆方向に引っ張っても容易に抜けないように取り付けることができる。
【０１５６】
また、取付片２７のストッパ部２８を第４貫通孔１５５の裏側周縁部に係止することができ、取付片２７の先端側が、第４貫通孔１５５から風等で抜けるのを簡易な構成で防止することができる。また、第４貫通孔１５５は平板状に延出された張出リブ部１５３に形成されるため、第４貫通孔１５５に挿通された取付片の先端部を容易に持って引き出すことが可能となり、取付片２７を取り付ける作業性の向上を図ることができる。
【０１５７】
また、第２挿通部６３と右側第２挿通部１５２は、第１挿通部９２を挟んで左右両側に配置される。これにより、取付片２７を左側から第１挿通部９２の挿通溝９５に挿通した場合には、取付片２７の先端側を第１挿通部９２に対して右側に配置された右側第２挿通部１５２に挿入して係止することが可能となる。一方、取付片２７を右側から第１挿通部９２の挿通溝９５に挿通した場合には、取付片２７の先端側を第１挿通部９２に対して左側に配置された第２挿通部６３の第２突出リブ部７９に挿入して係止することが可能となる。従って、作業者は、ガスメータ１７１が設置された周囲の状況に合わせて、取付片２７を第１挿通部９２の左側又は右側のうち、任意の方向から挿通溝９５挿入して、端子台蓋２５の前面部又は側縁部に直接取り付けることが可能となる。
【０１５８】
尚、本発明は前記第１実施形態乃至第６実施形態に限定されることはなく、本発明の要旨を逸脱しない範囲内で種々の改良、変形が可能であることは勿論である。例えば、以下のようにしてもよい。
【０１５９】
（Ａ）例えば、第１実施形態に係るガスメータ１において、第１挿通部３１と第２挿通部３２の配置を左右反転してもよい。この場合には、第１挿通部３１は、取付片２７が左側から挿通されて、取付片２７の基端部側の斜め当接部２７Ｃが該第１挿通部３１に当接された状態において、操作絵札２６が情報表示部３３よりも左方向外側に位置するように設けられる。これにより、検針時等において、操作絵札２６が風等で動いて情報表示部３３を覆わないようにすることが可能となり、情報表示部３３に表示された製品を識別する製品番号（識別情報）等を容易に確認することが可能となる。
【０１６０】
（Ｂ）また、例えば、第２実施形態に係るガスメータ６１、又は、第３実施形態に係るガスメータ９１において、第２挿通部６３の第２突出リブ部７９を左側縁部７５の後端縁に替えて、端子台蓋２５の前面部の右側縁に設けるようにしてもよい。この場合には、第１挿通部６２の突出リブ部６８、又は、第１挿通部９２の突出板部９３の裏側に、取付片２７が左側から挿通されて、取付片２７の太幅部分２７Ａが支持された状態において、操作絵札２６が情報表示部３３よりも左方向外側に位置するように設けられる。これにより、検針時等において、操作絵札２６が風等で動いて情報表示部３３を覆わないようにすることが可能となり、情報表示部３３に表示された製品を識別する製品番号（識別情報）等を容易に確認することが可能となる。
【０１６１】
（Ｃ）また、例えば、第４実施形態に係るガスメータ１１１において、第１挿通部１２６及び第２挿通部６３を、端子台蓋１２２の左右方向中心線に対して左右反転した位置にそれぞれ設けるようにしてもよい。この場合には、第１挿通部１２６の突出リブ部１３２に、取付片２７が左側から挿通されて、取付片２７の太幅部分２７Ａが支持された状態において、操作絵札２６が第１挿通部３１に対して左方向外側に位置するように配置できる。
【０１６２】
（Ｄ）また、例えば、第５実施形態に係るガスメータ１５１、又は、第６実施形態に係るガスメータ１７１において、右側第２挿通部１５２を端子台蓋２５の前面部の左側縁に設け、第２挿通部６３を端子台蓋２５の前面部の右側縁に設けて、それぞれの配置位置を左右反転するようにしてもよい。これにより、同様の効果を奏することが可能となる。
【０１６３】
（Ｅ）また、例えば、各第１挿通部３１、６２、９２、１２６と、各第２挿通部３２、６３、及び右側第２挿通部１５２との間に、端子台蓋２５の前面部から側面視略コの字状に突出する案内用突出リブ部を少なくとも１つ設けるようにしてもよい。この案内用突出リブ部は、取付片２７を挿通可能な断面縦長スリット状の貫通案を形成する。これにより、各第１挿通部３１、６２、９２、１２６と、各第２挿通部３２、６３、及び右側第２挿通部１５２との間に挿通された取付片２７の途中部分を支持することが可能となる。
【０１６４】
（Ｆ）また、例えば、第３実施形態に係るガスメータ９１において、右側の押さえ用突出部９８の左右方向の長さを、左側の押さえ用突出部９７の左右方向の長さとほぼ等しい長さにしてもよい。これにより、端子台蓋２５の前面部から所定高さ突出する一対の押さえ用突出部９７、９８によって、挿通溝９５に差し込まれた取付片２７の太幅部分２７Ａの挿通溝９５に対して左右方向両外側の上端縁部が、広い範囲に渡って押さえられるため、取付片２７が挿通溝９５から上方向へ抜けるのを更に防止することができる。
【０１６５】
（Ｇ）また、例えば、第２実施形態乃至第６実施形態に係る各ガスメータ６１、９１、１１１、１５１、１７１において、第２挿通部６３の第２突出リブ部７９を各端子台蓋２５、１２２の各左側縁部７５、１３５の前端縁に、左方向又は前側方向へ突出するように設けてもよい。これにより、取付片２７の先端部を第２突出リブ部７９に容易に押し込むことができ、作業性の向上を図ることができる。
【符号の説明】
【０１６６】
１、６１、９１、１１１、１５１、１７１：ガスメータ
３、１１２：ケース
７、１１３：前カバー
１７：遮断弁
２１：液晶表示装置
２２：復帰ボタン
２５、１２２：端子台蓋
２６：操作絵札
２７：取付片
２８：ストッパ部
３１、６２、９２、１２６：第１挿通部
３２、６３：第２挿通部
３３、１２１：情報表示部
１５２：右側第２挿通部
【図１】
2018162978.tif 000003
【図２】
2018162978.tif 000004
【図３】
2018162978.tif 000005
【図４】
2018162978.tif 000006
【図５】
2018162978.tif 000007
【図６】
2018162978.tif 000008
【図７】
2018162978.tif 000009
【図８】
2018162978.tif 000010
【図９】
2018162978.tif 000011
【図１０】
2018162978.tif 000012
【図１１】
2018162978.tif 000013
【図１２】
2018162978.tif 000014
【図１３】
2018162978.tif 000015
【図１４】
2018162978.tif 000016
【図１５】
2018162978.tif 000017
【図１６】
2018162978.tif 000018
【図１７】
2018162978.tif 000019
【図１８】
2018162978.tif 000020
【図１９】
2018162978.tif 000021
【図２０】
2018162978.tif 000022
【図２１】
2018162978.tif 000023
【図２２】
2018162978.tif 000024
【図２３】
2018162978.tif 000025
【図２４】
2018162978.tif 000026
【図２５】
2018162978.tif 000027
【図２６】
2018162978.tif 000028
【図２７】
2018162978.tif 000029
【図２８】
2018162978.tif 000030
【図２９】
2018162978.tif 000031
【図３０】
2018162978.tif 000032